(57)【要約】【課題】データを良好に処理する情報処理装置を提供する。【解決手段】記録再生装置２００のＣＰＵ２８０は、コンテンツを取得してＨＤＤ２６０に記憶させる処理をする。ＨＤＤ２６０に記憶したコンテンツのうち削除するコンテンツを特定すると、このコンテンツの一部を抽出してダイジェストを生成しＨＤＤ２６０に記憶させる。ＣＰＵ２８０は、削除するコンテンツとして特定したコンテンツを削除する。ＨＤＤ２６０に記憶されたコンテンツを削除した後も、コンテンツに対応するダイジェストをＨＤＤ２６０に記憶しているため、利用者はコンテンツの概要を把握できる。コンテンツを削除する際にダイジェストを生成するので、ダイジェストが膨大に増えず、ＨＤＤ２６０の空き容量を良好に確保できる。【選択図】 図１
2006163746.tif 000002
【特許請求の範囲】
【請求項１】
コンテンツデータを取得してデータ記憶手段に記憶させるコンテンツ記憶制御手段と、
前記データ記憶手段に記憶された前記コンテンツデータのうち削除する前記コンテンツデータを特定する削除コンテンツ特定手段と、
この削除コンテンツ特定手段にて特定された前記コンテンツデータの一部を抽出して部分データを生成し前記データ記憶手段に記憶させる部分データ生成手段と、
この部分データ生成手段にて前記部分データが前記データ記憶手段に記憶されると、前記削除コンテンツ特定手段にて特定された前記コンテンツデータを削除するコンテンツ削除手段と、
を具備したことを特徴とした情報処理装置。
【請求項２】
請求項１に記載の情報処理装置であって、
前記データ記憶手段は、前記コンテンツデータを記憶するためのコンテンツ記憶領域を備えており、
前記削除コンテンツ特定手段は、前記コンテンツ記憶領域に記憶可能な記憶容量が所定の量以下であると判断した場合に、前記データ記憶手段に記憶された前記コンテンツデータのうち前記削除するコンテンツデータを特定する
ことを特徴とした情報処理装置。
【請求項３】
請求項１または請求項２に記載の情報処理装置であって、
前記コンテンツデータが前記データ記憶手段に記憶された日時に関するコンテンツ記憶日時情報を取得するコンテンツ記憶日時取得手段と、
前記コンテンツデータが前記データ記憶手段に記憶されている保存時間に関するコンテンツ保存時間情報を取得するコンテンツ保存時間取得手段と、を具備し
前記削除コンテンツ特定手段は、現在日時に関する現在日時情報を取得し、前記コンテンツ記憶日時情報の日時から前記現在日時情報の現在日時までの経過時間が前記コンテンツ保存時間情報の前記保存時間以上となったことを認識すると、このコンテンツ記憶日時情報に対応する前記コンテンツデータを前記削除するコンテンツデータとして特定する
ことを特徴とした情報処理装置。
【請求項４】
請求項１ないし請求項３のいずれかに記載の情報処理装置であって、
前記記憶手段に記憶された前記コンテンツデータに関連付けられ前記コンテンツデータの優先度に関するコンテンツ優先度情報を取得するコンテンツ優先度情報取得手段を具備し、
前記削除コンテンツ特定手段は、前記コンテンツ優先度情報に基づいて前記データ記憶手段に記憶された前記コンテンツデータのうち前記削除するコンテンツデータを特定する
ことを特徴とした情報処理装置。
【請求項５】
請求項４に記載の情報処理装置であって、
前記コンテンツデータが前記データ記憶手段に記憶された日時に関するコンテンツ記憶日時情報を取得するコンテンツ記憶日時取得手段と、
前記コンテンツデータが前記データ記憶手段に記憶されている保存時間に関するコンテンツ保存時間情報を取得するコンテンツ保存時間取得手段と、を具備し、
前記削除コンテンツ特定手段は、現在日時に関する現在日時情報を取得し、前記コンテンツ優先度情報における前記コンテンツデータの優先度に基づいて、前記コンテンツ記憶日時情報の日時から前記現在日時情報の現在日時までの経過時間を適宜変更し、この経過時間が前記前記コンテンツ保存時間情報の前記保存時間以上となったことを認識すると、このコンテンツ記憶日時情報に対応する前記コンテンツデータを前記削除するコンテンツデータとして特定する
ことを特徴とした情報処理装置。
【請求項６】
請求項４または請求項５に記載の情報処理装置であって、
前記コンテンツ優先度情報取得手段は、前記コンテンツデータの処理を実施する処理実施手段による前記コンテンツデータの処理回数に基づいて前記コンテンツデータの優先度を認識して前記コンテンツ優先度情報を取得し、
前記削除コンテンツ特定手段は、前記コンテンツ優先度情報取得手段にて取得した前記コンテンツ優先度情報における前記コンテンツデータの処理回数が所定回数以下であることを認識した場合、このコンテンツ優先度情報に対応する前記コンテンツデータを削除候補と認識し、前記データ記憶手段に記憶された前記コンテンツデータにおいて前記削除候補と認識されたコンテンツデータのうち削除する前記コンテンツデータを特定する
ことを特徴とした情報処理装置。
【請求項７】
請求項１ないし請求項６のいずれかに記載の情報処理装置であって、
前記データ記憶手段に記憶された前記部分データのうち特定の前記部分データを削除する部分データ管理手段を具備した
ことを特徴とした情報処理装置。
【請求項８】
請求項７に記載の情報処理装置であって、
前記データ記憶手段は、前記部分データを記憶するための部分データ記憶領域を備えており、
前記部分データ管理手段は、この部分データ記憶領域に記憶可能な記憶容量が所定の量以下であると判断した場合に、前記データ記憶手段に記憶された前記部分データのうち特定の前記部分データを削除する
ことを特徴とした情報処理装置。
【請求項９】
請求項７または請求項８に記載の情報処理装置であって、
前記部分データ生成手段にて前記部分データが前記データ記憶手段に記憶された日時に関する部分データ記憶日時情報を取得する部分データ記憶日時取得手段と、
前記部分データが前記データ記憶手段に記憶されている保存時間に関する部分データ保存時間情報を取得する部分データ保存時間取得手段と、を具備し、
前記部分データ管理手段は、現在日時に関する現在日時情報を取得し、前記部分データ記憶日時情報の日時から前記現在日時情報の現在日時までの経過時間が前記部分データ保存時間情報の前記保存時間以上となったことを認識すると、この部分データ記憶日時情報に対応する前記部分データを削除する
ことを特徴とした情報処理装置。
【請求項１０】
請求項７ないし請求項９のいずれかに記載の情報処理装置であって、
前記記憶手段に記憶された前記部分データに関連付けられ前記部分データの優先度に関する部分データ優先度情報を取得する部分データ優先度情報取得手段を具備し、
前記部分データ管理手段は、前記部分データ優先度情報に基づいて前記データ記憶手段に記憶された前記部分データのうち特定の前記部分データを削除する
ことを特徴とした情報処理装置。
【請求項１１】
請求項１０に記載の情報処理装置であって、
前記部分データ生成手段にて前記部分データが前記データ記憶手段に記憶された日時に関する部分データ記憶日時情報を取得する部分データ記憶日時取得手段と、
前記部分データが前記データ記憶手段に記憶されている保存時間に関する部分データ保存時間情報を取得する部分データ保存時間取得手段と、を具備し、
前記部分データ管理手段は、現在日時に関する現在日時情報を取得し、前記部分データ優先度情報における前記部分データの優先度に基づいて、前記部分データ記憶日時情報の日時からの経過時間を適宜変更し、この経過時間が前記部分データ保存時間情報の前記保存時間以上となったことを認識すると、この部分データ記憶日時情報に対応する前記部分データを削除する
ことを特徴とした情報処理装置。
【請求項１２】
請求項１０または請求項１１に記載の情報処理装置であって、
前記部分データ優先度情報取得手段は、前記部分データの処理を実施する部分データ処理実施手段による前記部分データの処理回数に基づいて前記部分データの優先度を認識して前記部分データ優先度情報を取得し、
前記部分データ管理手段は、前記部分データ優先度情報取得手段にて取得した前記部分データ優先度情報における前記部分データの処理回数が所定回数以下であることを認識した場合、この部分データ優先度情報に対応する前記部分データを削除候補と認識し、前記データ記憶手段に記憶された前記部分データにおいて前記削除候補と認識された部分データのうち特定の前記部分データを削除する
ことを特徴とした情報処理装置。
【請求項１３】
請求項１ないし請求項１２のいずれかに記載の情報処理装置であって、
前記コンテンツデータの内容に関する内容情報を取得する内容情報取得手段と、
前記内容情報に基づいて特定の内容に対応する前記コンテンツデータおよび所定の内容に関連する前記コンテンツデータを前記コンテンツ記憶制御手段で取得させ前記データ記憶手段に記憶させる旨の要求情報を生成する要求情報生成手段と、
を具備したことを特徴とした情報処理装置。
【請求項１４】
請求項１ないし請求項１３のいずれかに記載の情報処理装置であって、
前記データ記憶手段に記憶された前記コンテンツデータおよび前記部分データを出力する出力手段に前記部分データを前記コンテンツデータの出力状態と異なる状態で出力させる制御をする出力制御手段を具備した
ことを特徴とした情報処理装置。
【請求項１５】
演算手段により、データ記憶手段に記憶されたコンテンツデータのうち特定の前記コンテンツデータを削除させる制御をする情報処理方法であって、
前記演算手段は、
前記データ記憶手段に記憶された前記コンテンツデータのうち削除する前記コンテンツデータを特定させ、
前記特定されたコンテンツデータの一部を抽出して部分データを生成し前記データ記憶手段に記憶させるとともに前記特定されたコンテンツデータを削除させる
ことを特徴とする情報処理方法。
【請求項１６】
請求項１５に記載の情報処理方法を演算手段に実行させる
ことを特徴とした情報処理プログラム。
【発明の詳細な説明】
【技術分野】
【０００１】
本発明は、コンテンツデータを処理する情報処理装置、その方法、および、そのプログラムに関する。
【背景技術】
【０００２】
従来、例えばテレビ番組などのコンテンツを記録して再生するとともに、この記録したコンテンツを自動削除する記録再生装置が知られている（例えば、特許文献１参照）。この特許文献１に記載のものは、利用者により所望の番組コンテンツの録画データの保存時間が入力されると、この入力された保存時間を設定する。そして、録画終了年月日時刻から現在の年月日時刻までの期間を算出し、この期間が保存時間を超えたコンテンツに対応する録画データを自動削除する構成が採られている。
【０００３】
また、リムーバブルな外部記録媒体に放送番組などのコンテンツを録画し、録画したコンテンツにそれぞれ対応するダイジェストを生成して記憶する画像管理装置が知られている（例えば、特許文献２参照）。この特許文献２に記載のものは、ダイジェストとこのダイジェストに対応するコンテンツが収録された外部記録媒体とを対応付け、外部記録媒体にＩＤ番号を発行する。ＩＤ番号は外部記録媒体の上に貼付されたシートに利用者によって記入される。そして、利用者は、画像管理装置内に記憶されたダイジェストの再生を通じて、記録済みのコンテンツの中から視聴したいコンテンツを検索する構成が採られている。
【０００４】
【特許文献１】特開２００２−１６５１６２号公報（第３頁右欄−第７頁右欄参照）
【特許文献２】特開２００１−２６８５０１号公報（第２頁右欄−第３頁左欄参照）
【発明の開示】
【発明が解決しようとする課題】
【０００５】
しかしながら、上記特許文献１に記載のような従来の構成では、保存時間を超えたコンテンツは、装置により自動的に削除されてしまう。このため、利用者は、削除されたコンテンツの内容がどのようなものであったのかを把握できないおそれがあるという問題が一例として挙げられる。また、特許文献２に記載のような従来の構成では、記録したコンテンツの全てに対してダイジェストを生成するため、多数のコンテンツを記録するとこれに伴ってダイジェストも増加する。このため、コンテンツとともにダイジェストの記憶領域も確保しておく必要があり、利用者が所望とするコンテンツを記録できなくなるおそれがあるという問題が一例として挙げられる。
【０００６】
本発明は、上述したような問題点に鑑みて、コンテンツデータを良好に処理する情報処理装置、その方法、および、そのプログラムを提供することを１つの目的とする。
【課題を解決するための手段】
【０００７】
請求項１に記載の発明は、コンテンツデータを取得してデータ記憶手段に記憶させるコンテンツ記憶制御手段と、前記データ記憶手段に記憶された前記コンテンツデータのうち削除する前記コンテンツデータを特定する削除コンテンツ特定手段と、この削除コンテンツ特定手段にて特定された前記コンテンツデータの一部を抽出して部分データを生成し前記データ記憶手段に記憶させる部分データ生成手段と、この部分データ生成手段にて前記部分データが前記データ記憶手段に記憶されると、前記削除コンテンツ特定手段にて特定された前記コンテンツデータを削除するコンテンツ削除手段と、を具備したことを特徴とした情報処理装置である。
【０００８】
請求項１５に記載の発明は、演算手段により、データ記憶手段に記憶されたコンテンツデータのうち特定の前記コンテンツデータを削除させる制御をする情報処理方法であって、前記演算手段は、前記データ記憶手段に記憶された前記コンテンツデータのうち削除する前記コンテンツデータを特定させ、前記特定されたコンテンツデータの一部を抽出して部分データを生成し前記データ記憶手段に記憶させるとともに前記特定されたコンテンツデータを削除させることを特徴とする情報処理方法である。
【０００９】
請求項１６に記載の発明は、請求項１５に記載の情報処理方法を演算手段に実行させることを特徴とした情報処理プログラムである。
【発明を実施するための最良の形態】
【００１０】
以下に、本発明の一実施の形態を図面に基づいて説明する。本実施の形態では、本発明の情報処理装置を備えた記録再生装置を例示して説明するが、これに限らず、記憶手段に記憶されたコンテンツデータを削除すなわち消去するいずれの構成でも適用できる。なお、本実施の形態において、例えばテレビ番組などのコンテンツの音声データ、映像データ、データ放送用データなどを有するデータであるコンテンツデータを記録する処理を、コンテンツを録画する処理と適宜称して説明する。そして、テレビ放送番組としてデジタル信号の放送波に基づいてコンテンツデータを取得する構成について説明するが、アナログ信号の放送波を利用したり、インターネットなどのネットワークを介してデジタル信号で取得するコンテンツデータなど、いずれのコンテンツデータを対象とすることができる。また、利用者により設定入力される録画開始日時や録画終了日時あるいはチャンネルなどが記載された手動録画予約要求情報における各種設定事項により特定される特定のコンテンツの録画を予約する処理を、手動録画予約処理と適宜称して説明する。さらに、利用者により設定入力される文字情報としてのいわゆるキーワードが記述された自動録画予約要求情報に基づいて、例えば後述する内容情報としてのＥＰＧ（Electric Program Guide）データを参照し、自動録画予約要求情報のキーワードに関連するコンテンツの録画を予約する処理を、自動録画予約処理と適宜称して説明する。また、コンテンツデータの一部である部分データとしてのダイジェストデータを抽出する処理をダイジェストデータを生成する処理と適宜称して説明する。そして、記録再生装置に記録されたコンテンツデータおよびダイジェストデータを管理して自動的に削除する処理を自動削除処理と適宜称して説明する。図１は、本実施の形態におけるコンテンツ記録再生システムの概略構成を示すブロック図である。図２は、録画予約リスト情報の概略構成を示す模式図である。図３は、コンテンツ管理リスト情報の概略構成を示す模式図である。図４は、ダイジェスト管理リスト情報の概略構成を示す模式図である。図５は、記録再生装置を構成するＣＰＵの概略構成を示す模式図である。
【００１１】
〔第１の実施の形態〕
｛コンテンツ記録再生システムの構成｝
図１において、１００はコンテンツ記録再生システムであり、例えばテレビ番組などのコンテンツのコンテンツデータを記録したり、記録したコンテンツデータを再生したりするシステムである。そして、コンテンツ記録再生システム１００は、情報処理装置としての記録再生装置２００と、出力手段としての出力装置３００と、を備えている。
【００１２】
出力装置３００は、例えばパーソナルコンピュータ、テレビ、携帯電話、ＰＤＡ（Personal Digital Assistant）などが例示できる。この出力装置３００は、記録再生装置２００から入力されるコンテンツデータを受信して出力する。そして、この出力装置３００としては、例えば、音声データを音声として出力させる構成、あるいは、映像データ、放送用データ、ＥＰＧデータ、合成データなどを画面表示させる構成、さらには図１に示すように、音声出力する構成である音声出力部３１０と画面表示させる構成である表示部３２０の双方を備えた構成など、いずれの構成が適用できる
【００１３】
記録再生装置２００は、ＴＳ（Transport Stream）として配信される音声データ、映像データ、データ放送用データなどを有するコンテンツデータを取得して記録させるとともに、出力装置３００で出力させる処理をする。また、記録再生装置２００は、記録させたコンテンツデータを適宜再生して出力装置３００で出力させる処理をする。そして、記録したコンテンツデータを適宜自動削除する。さらに、所定のコンテンツデータを削除する際に、コンテンツデータに対応するダイジェストデータを生成し、これを管理する。そして、記録再生装置２００は、図１に示すように、通信手段２１０と、デマルチプレクサ（Demultiplexer；Ｄｅｍｕｘ）２２０と、デコーダ２３０と、記録再生処理手段２４０と、入力手段２５０と、データ記憶手段としてのハードディスクドライブ（Hard Disk Drive；ＨＤＤ）２６０と、メモリ２７０と、演算手段としてのＣＰＵ（Central Processing Unit）２８０と、などを備えている。
【００１４】
通信手段２１０は、例えば、地上波デジタル放送や衛星デジタル放送などの放送波を受信するアンテナ２１１が接続され、アンテナ２１１からアナログ信号やデジタル信号として送信される情報、例えば複数のＴＳから利用者により選択されたテレビ放送番組のコンテンツに対応するＴＳを取得する。そして、通信手段２１０は、取得したＴＳをＤｅｍｕｘ２２０へ出力する。
【００１５】
さらに、通信手段２１０は、高速データ処理が可能な例えばＩＥＥＥ（Institute of Electrical and Electronic Engineers）１３９４規格のインターフェースなどを有し、記録再生装置２００の外部に設けられた図示しない外部装置からデジタル信号として送信されるコンテンツに対応するＴＳや後述するパーシャルＴＳなどを取得し、Ｄｅｍｕｘ２２０へ出力する。また、通信手段２１０は、記録再生処理手段２４０から出力されるパーシャルＴＳを取得し、適宜処理して記録再生装置２００の外部に設けられた図示しない外部装置へデジタル信号として送信する。
【００１６】
Ｄｅｍｕｘ２２０は、デコーダ２３０と、記録再生処理手段２４０と、ＣＰＵ２８０と、などが接続され、通信手段２１０からＴＳを取得し、この取得したＴＳからＴＳパケットを適宜分離して出力する。具体的には、Ｄｅｍｕｘ２２０は、ＣＰＵ２８０の制御により、音声データが組み込まれたＴＳパケット（以下、音声パケットと称す）と、映像データが組み込まれたＴＳパケット（以下、映像パケットと称す）と、データ放送用データまたはＥＰＧデータなどが組み込まれたＴＳパケット（以下、データパケットと称す）と、を取得する。そして、Ｄｅｍｕｘ２２０は、これら取得した音声パケットと、映像パケットと、データパケットと、をデコーダ２３０へ出力する。また、Ｄｅｍｕｘ２２０は、ＣＰＵ２８０の制御により、取得したＴＳから選択されたテレビ放送番組に対応した各ＴＳパケットを取得すると、これら各ＴＳパケットを一連のデータ列構造のＴＳ、すなわちパーシャルＴＳに再構成し、記録再生処理手段２４０へ出力する。さらに、Ｄｅｍｕｘ２２０は、ＣＰＵ２８０の制御により、通信手段２１０や記録再生処理手段２４０からパーシャルＴＳを適宜取得すると、このパーシャルＴＳを、音声パケットと、映像パケットと、データパケットと、に分離してデコーダ２３０へ出力する。
【００１７】
ここで、ＥＰＧデータは、通信手段２１０で取得可能な各ＴＳのテレビ放送番組などの番組に関する情報が、例えばＢＭＬ（Broadcast Markup Language）やＸＭＬ（eXtensible Markup Language）などのテキスト形式で記載されたデータである。すなわち、ＥＰＧデータは、番組タイトル、放送開始日時、放送終了日時、チャンネル、ジャンル、番組の詳細な内容に関する番組詳細、などの情報が１つのデータ構造として構成されている。
【００１８】
デコーダ２３０は、Ｄｅｍｕｘ２２０と、ＣＰＵ２８０と、出力装置３００と、などに接続され、Ｄｅｍｕｘ２２０から取得した各パケットを適宜復調し、出力装置３００へ適宜出力する。具体的には、デコーダ２３０は、ＣＰＵ２８０の制御により、Ｄｅｍｕｘ２２０から音声パケットを取得し、この音声パケットに組み込まれた音声データを復調して、アナログ信号として出力装置３００の音声出力部３１０へ送信したり、Ｄｅｍｕｘ２２０から映像パケットを取得し、この映像パケットに組み込まれた映像データを復調して、出力装置３００へ出力したり、Ｄｅｍｕｘ２２０からデータパケットを取得し、このデータパケットに組み込まれたデータ放送用データやＥＰＧデータなどを復調して、出力装置３００へ出力する。また、デコーダ２３０は、データパケットにＥＰＧデータが組み込まれている場合、ＣＰＵ２８０の制御により、このＥＰＧデータをＨＤＤ２６０へ適宜出力する。
【００１９】
記録再生処理手段２４０は、ＨＤＤ２６０と、ＣＰＵ２８０と、などに接続されている。そして記録再生処理手段２４０は、Ｄｅｍｕｘ２２０からパーシャルＴＳを適宜取得してＨＤＤ２６０へ記憶させたり、ＨＤＤ２６０へ記憶させたパーシャルＴＳを適宜取得して通信手段２１０やＤｅｍｕｘ２２０へ出力したりする。
【００２０】
入力手段２５０は、ＣＰＵ２８０などに接続されている。この入力手段２５０は、図示しないケース体の例えば正面に臨んで入力操作可能に配設された図示しない各種操作ボタンや操作つまみなどを有している。この操作ボタンや操作つまみの入力操作の内容としては、例えばコンテンツデータの記録や再生に関する設定操作、通信手段２１０で受信するＴＳの設定操作、コンテンツデータの自動削除に関する設定操作、などが例示できる。また、入力手段２５０は、入力操作に応じて、録画や再生の実施を要求する旨の処理実施要求情報を生成する手段としても機能する。そして、入力手段２５０は、入力操作による各種情報を操作信号としてＣＰＵ２８０へ送信する。ここで、入力手段２５０としては、例えば図示しないリモートコントローラ（以下、リモコンと称す）より赤外線を介して送信される各種情報を受信して、この各種情報を操作信号としてＣＰＵ２８０へ送信するリモコン受光部を備えた構成などとしてもよい。
【００２１】
ＨＤＤ２６０は、ＣＰＵ２８０などに接続されている。このＨＤＤ２６０は、例えばＡＴＡ（AT Attachment）インターフェースにより制御される。なお、ここではＨＤＤ２６０がＡＴＡインターフェースにより制御される構成について例示するが、ＩＤＥ（Integrated Drive Electronics）インターフェースやＳＣＳＩ（Small Computer System Interface）インターフェースなどで制御される構成としてもよい。また、ＨＤＤ２６０の代わりに、ＤＶＤ（Digital Versatile Disc）などの光ディスク、光磁気ディスク、メモリカードなどの着脱可能、さらには固定のメモリなど、各種記録媒体に各種情報を読み出し可能に記憶するドライブやドライバなどを備えた構成などとしてもよい。
【００２２】
また、ＨＤＤ２６０は、記録再生処理手段２４０から入力されるコンテンツのパーシャルＴＳ、すなわちコンテンツデータと、ＣＰＵ２８０により生成されるダイジェストデータと、ＥＰＧデータと、などを適宜読み出し可能に記憶する。すなわち、ＨＤＤ２６０は、コンテンツデータおよびダイジェストデータを記憶するコンテンツ記憶領域および部分データ記憶領域としても機能する図示しないデータ記憶領域と、ＥＰＧデータを番組情報テーブルとして記憶する図示しないＥＰＧ記憶領域と、を備えている。なお、これらデータ記憶領域およびＥＰＧ記憶領域は、メモリ２７０に記憶されて構築される構成としてもよい。
【００２３】
メモリ２７０は、通信手段２１０から出力されるＴＳから所望のコンテンツデータを取得して記録する際や、記録したコンテンツデータを再生する際に必要な各種データなどを適宜読み出し可能に記憶する。また、メモリ２７０は、ＣＰＵ２８０がＨＤＤ２６０に記憶された所定のコンテンツデータからダイジェストデータを取得して記録する際や、記録したダイジェストデータを再生する際に必要な各種データなどを適宜読み出し可能に記憶する。そして、メモリ２７０は、録画予約リスト情報記憶領域と、コンテンツ管理リスト記憶領域と、ダイジェスト管理リスト記憶領域と、などを備えている。なお、録画予約リスト情報記憶領域と、コンテンツ管理リスト記憶領域と、ダイジェスト管理リスト記憶領域と、は、ＨＤＤ２６０に記憶されて構築される構成としてもよい。
【００２４】
録画予約リスト情報記憶領域は、例えば図２に示すような録画予約リスト情報５００を適宜読み出し可能に記憶する。この録画予約リスト情報５００は、手動予約処理や自動予約処理に関する情報が蓄積されたリスト情報であり、新規の録画予約が設定されるたびにＣＰＵ２８０により更新される。この録画予約リスト情報５００は、少なくとも１つの予約情報５１０、などが１つのデータ構造として関連付けられて構成されている。
【００２５】
予約情報５１０は、手動録画予約または自動録画予約に関する情報である。この予約情報５１０は、ＣＰＵ２８０により、手動録画予約や自動録画予約が設定された際に録画予約リスト情報５００に組み込まれ、手動録画予約や自動録画予約に基づいた録画が終了した際などに録画予約リスト情報５００から削除される。そして、予約情報５１０は、録画基本情報５１１、などが１つのデータ構造として関連付けられて構成されている。
【００２６】
録画基本情報５１１は、手動予約録画処理や自動予約録画処理を実施するために必要な各種情報である。具体的には、録画基本情報５１１は、録画開始日時と、録画終了日時と、チャンネル番号と、などが１つのデータ構造として関連付けられて構成されている。そして、この録画基本情報５１１は、ＣＰＵ２８０により適宜変更される。なお、この録画基本情報５１１に記載される各種情報は、例えばテキスト形式すなわち文字列の簡単な構造で記述されている。
【００２７】
コンテンツ管理リスト記憶領域は、例えば図３に示すようなコンテンツ管理リスト情報６００を適宜読み出し可能に記憶する。このコンテンツ管理リスト情報６００は、ＨＤＤ２６０に記録されたコンテンツデータに対応する情報のリストに関する情報である。このコンテンツ管理リスト情報６００は、少なくとも１つのコンテンツ管理情報６１０が１つのデータ構造として関連付けられて構成されている。
【００２８】
コンテンツ管理情報６１０は、ＣＰＵ２８０により、ＨＤＤ２６０にコンテンツデータが記録された際にコンテンツ管理リスト情報６００に組み込まれ、ＨＤＤ２６０からコンテンツデータが消去された際にコンテンツ管理リスト情報６００から削除される。そして、コンテンツ管理情報６１０は、コンテンツナンバ６１１と、コンテンツ基本情報６１２と、自動削除処理対象フラグ６１３と、コンテンツ保存時間情報としての保存時間情報６１４と、アクセスフラグ６１５と、コンテンツ処理回数情報としてのアクセス回数情報６１６と、アクセス時間情報６１７と、が１つのデータ構造として関連付けられて構成されている。なお、コンテンツ管理情報６１０は、コンテンツナンバ６１１と、自動削除処理対象フラグ６１３と、が１つのデータ構造として関連付けられて構成されてもよい。
【００２９】
コンテンツナンバ６１１は、ＨＤＤ２６０に記録されたコンテンツデータに固有に付与された番号に関する情報である。なお、コンテンツナンバ６１１の代わりに、コンテンツデータに固有に付与された例えば名称などを示す情報を用いる構成などとしてもよい。
【００３０】
コンテンツ基本情報６１２は、コンテンツナンバ６１１により特定されるコンテンツデータの内容に関する情報であり、ＥＰＧデータまたは予約情報５１０の録画基本情報５１１に基づいてＣＰＵ２８０により生成される。具体的には、コンテンツ基本情報６１２は、コンテンツタイトルと、録画開始日時と、コンテンツ記憶日時情報としての録画終了日時と、などが１つのデータ構造として関連付けられて構成されている。なお、このコンテンツ基本情報６１２に記載される各種情報は、例えばテキスト形式すなわち文字列の簡単な構造で記述されている。
【００３１】
自動削除処理対象フラグ６１３は、コンテンツナンバ６１１により特定されるコンテンツデータが、削除候補すなわち自動削除処理により削除される自動削除処理の対象であるか否かを示すフラグ情報である。具体的には、自動削除処理対象フラグ６１３が「０」であれば自動削除処理の対象外であることを示し、「１」であれば自動削除処理の対象であることを示す。この自動削除処理対象フラグ６１３は、ＣＰＵ２８０により適宜再設定される。
【００３２】
保存時間情報６１４は、コンテンツナンバ６１１により特定されるコンテンツデータを自動削除するまでの保存時間に関する情報である。この保存時間情報６１４は、入力手段２５０からの設定入力などに基づきＣＰＵ２８０により適宜変更される。
【００３３】
アクセスフラグ６１５は、コンテンツナンバ６１１により特定されるコンテンツデータの再生処理が少なくとも１回は実施されたか否か、すなわちコンテンツデータへの再生が少なくとも１回は実施されたか否かを示すフラグ情報である。具体的には、アクセスフラグ６１５が「０」であれば再生が１回も実施されていないことを示し、「１」であれば再生が少なくとも１回は実施されていることを示す。そして、このアクセスフラグ６１５は、ＣＰＵ２８０により適宜再設定される。
【００３４】
アクセス回数情報６１６は、コンテンツナンバ６１１により特定されるコンテンツデータの再生回数に関する情報である。このアクセス回数情報６１６は、ＣＰＵ２８０により適宜変更される。
【００３５】
アクセス時間情報６１７は、コンテンツナンバ６１１により特定されるコンテンツデータのアクセス時間、すなわち総再生時間に関する情報である。このアクセス時間情報６１７は、初期値が０に設定されており、コンテンツデータを再生するとＣＰＵ２８０により適宜更新される。
【００３６】
ダイジェスト管理リスト記憶領域は、例えば図４に示すようなダイジェスト管理リスト情報７００を適宜読み出し可能に記憶する。ダイジェスト管理リスト情報７００は、ＨＤＤ２６０に記録されたダイジェストデータに対応する情報のリストに関する情報である。このダイジェスト管理リスト情報７００は、少なくとも１つのダイジェスト管理情報７１０が１つのデータ構造として関連付けられて構成されている。
【００３７】
ダイジェスト管理情報７１０は、ＣＰＵ２８０により、ＨＤＤ２６０にダイジェストデータが記録された際にダイジェスト管理リスト情報７００に組み込まれ、ＨＤＤ２６０からダイジェストデータが消去された際にダイジェスト管理リスト情報７００から削除される。そして、ダイジェスト管理情報７１０は、ダイジェストナンバ７１１と、コンテンツ優先度情報としてのダイジェスト基本情報７１２と、自動削除処理対象フラグ７１３と、部分データ保存時間情報としての保存時間情報７１４と、が１つのデータ構造として関連付けられて構成されている。なお、ダイジェスト管理情報７１０は、ダイジェストナンバ７１１と、自動削除処理対象フラグ７１３と、が１つのデータ構造として関連付けられて構成される場合もある。
【００３８】
ダイジェストナンバ７１１は、ＨＤＤ２６０に記録されたダイジェストデータに固有に付与された番号に関する情報である。なお、ダイジェストナンバ７１１の代わりに、ダイジェストデータに固有に付与された例えば名称などを示す情報を用いる構成などとしてもよい。
【００３９】
ダイジェスト基本情報７１２は、ダイジェストナンバ７１１により特定されるダイジェストデータの内容に関する情報であり、コンテンツ基本情報６１２に基づいてＣＰＵ２８０により生成される。具体的には、ダイジェスト基本情報７１２は、ダイジェストデータを生成した日時に関する部分データ記憶日時情報としてのダイジェスト生成日時と、チャンネル番号と、などが１つのデータ構造として関連付けられて構成されている。なお、このダイジェスト基本情報７１２に記載される各種情報は、例えばテキスト形式すなわち文字列の簡単な構造で記述されている。
【００４０】
自動削除処理対象フラグ７１３は、ダイジェストナンバ７１１により特定されるダイジェストデータが、削除候補すなわち自動削除処理により削除される自動削除処理の対象であるか否かを示すフラグ情報である。具体的には、自動削除処理対象フラグ７１３が「０」であれば自動削除処理の対象外であることを示し、「１」であれば自動削除処理の対象であることを示す。この自動削除処理対象フラグ７１３は、ＣＰＵ２８０により適宜再設定される。
【００４１】
保存時間情報７１４は、ダイジェストナンバ７１１により特定されるコンテンツデータを自動削除するまでの残存時間に関する情報である。この保存時間情報７１４は、入力手段２５０からの設定入力などに基づきＣＰＵ２８０により適宜変更される。
【００４２】
さらに、メモリ２７０は、記録再生装置２００全体を動作制御するＯＳ（Operating System）上に展開される各種プログラムなどを適宜読み出し可能に記憶している。このメモリ２７０としては、例えば停電などにより突然電源が落ちた際にも記憶が保持される構成のメモリ、例えばＣＭＯＳ（Complementary Metal-Oxide Semiconductor）メモリなどを用いることが望ましい。なお、メモリ２７０としては、ＨＤ、ＤＶＤ、光ディスクなどの記録媒体に読み出し可能に記憶するドライブやドライバなどを備えた構成としてもよい。
【００４３】
ＣＰＵ２８０は、各種プログラムとして、図５に示すように、内容情報取得手段および要求情報生成手段としても機能する録画予約設定手段２８１と、コンテンツ記憶制御手段としての録画制御手段２８２、コンテンツ記憶日時取得手段、コンテンツ記憶日時取得手段、コンテンツ保存時間取得手段、コンテンツ処理回数情報取得手段およびコンテンツ優先度情報取得手段としても機能するコンテンツ管理情報生成手段２８３と、処理実施手段および出力制御手段としても機能する再生制御手段２８４と、削除コンテンツ特定手段としてのコンテンツ管理手段２８５と、部分データ生成手段としてのダイジェスト生成手段２８６と、部分データ記憶日時取得手段および部分データ保存時間取得手段としてのダイジェスト管理情報生成手段２８７と、コンテンツ削除手段２８８と、部分データ管理手段としてのダイジェスト管理手段２８９と、計時手段２９０と、などを備えている。なお、録画制御手段２８２、ダイジェスト生成手段２８６およびコンテンツ削除手段２８８にて、本発明の情報処理装置が構成されている。
【００４４】
録画予約設定手段２８１は、入力手段２５０から操作信号として送信される自動録画予約要求情報を適宜取得して、この自動録画予約要求情報に基づいて、自動録画予約処理を実施する。具体的には、録画予約設定手段２８１は、デコーダ２３０、通信手段２１０などを制御してＥＰＧデータをＨＤＤ２６０に記憶させる。そして、自動録画予約要求情報を取得すると、この自動録画予約要求情報に記載された例えばキーワードを認識するとともに、ＨＤＤ２６０に記憶されたＥＰＧデータを取得する。さらに、認識したキーワードに一致あるいは関連する番組名、番組記述、ジャンル、シリーズ名などのコンテンツをＥＰＧデータから検索する。そして、キーワードに例えば関連する番組名のコンテンツを検索できたことを認識すると、ＥＰＧデータに基づいて、このコンテンツの録画開始日時、録画終了日時、チャンネル番号などに関する情報を記載した録画基本情報５１１を生成する。さらに、録画予約設定手段２８１は、録画基本情報５１１を組み込んだ予約情報５１０を適宜生成して、録画予約リスト情報５００に組み込む。なお、ここでは、ＥＰＧデータを用いて自動録画予約に対応する予約情報５１０を生成する構成を例示したが、これに限られず他のデータを用いて生成する構成などとしてもよい。
【００４５】
また、録画予約設定手段２８１は、入力手段２５０から操作信号として送信される手動録画予約要求情報を適宜取得し、この手動録画予約要求情報に基づいて、手動録画予約処理を実施する。具体的には、録画予約設定手段２８１は、手動録画予約要求情報を取得すると、この手動録画予約要求情報に記載された録画開始日時、録画終了日時、チャンネル番号などに関する情報を認識し、これら各種情報が記載された録画基本情報５１１を生成する。さらに、録画予約設定手段２８１は、録画基本情報５１１を組み込んだ予約情報５１０を適宜生成して録画予約リスト情報５００に組み込む。
【００４６】
計時手段２９０は、例えば内部クロックなどの基準パルスに基づいて現在日時を計時する。そして、この計時した現在日時に関する現在日時情報を適宜出力する。
【００４７】
録画制御手段２８２は、通信手段２１０、Ｄｅｍｕｘ２２０、記録再生処理手段２４０などの動作を制御して、所望のコンテンツのコンテンツデータを受信してＨＤＤ２６０に適宜読み出し可能に記憶させる処理をする。具体的には、録画制御手段２８２は、入力手段２５０における入力操作に基づく操作信号により現在受信して再生しているコンテンツデータを記憶、あるいは、録画予約リスト情報５００の予約情報５１０に基づいて計時手段２９０で計時する現在時刻が予約情報５１０における録画開始日時となるコンテンツデータを受信させて記憶させる処理をする。そして、コンテンツデータを記憶させる処理すなわち録画処理を実施すると、このコンテンツデータに固有の番号を付与する。
【００４８】
コンテンツ管理情報生成手段２８３は、録画制御手段２８２にて録画されたコンテンツデータに関するコンテンツ管理情報６１０を適宜生成して、コンテンツ管理リスト情報６００へ組み込む。具体的には、コンテンツ管理情報生成手段２８３は、録画制御手段２８２により録画処理が実施されたことを認識すると、この録画されたコンテンツデータに付与された番号を認識する。そして、この番号が記載されたコンテンツナンバ６１１を生成する。
【００４９】
さらに、コンテンツ管理情報生成手段２８３は、このコンテンツナンバ６１１に特定されるコンテンツデータに関するコンテンツ基本情報６１２を生成する。具体的には、コンテンツ管理情報生成手段２８３は、録画制御手段２８２にてテレビ放送番組などのコンテンツが録画される際に、ＨＤＤ２６０のＥＰＧ記憶領域に記憶されたＥＰＧデータおよび録画基本情報５１１に基づいて、このコンテンツの番組タイトルと、放送開始時間と、放送終了時間と、などを抽出する。そして、コンテンツ管理情報生成手段２８３は、これらＥＰＧデータおよび録画基本情報５１１より抽出した情報に基づき、コンテンツタイトルと、録画開始日時と、録画終了日時と、などが１つのデータ構造として構成されたコンテンツ基本情報６１２を適宜生成する。また、コンテンツ管理情報生成手段２８３は、録画制御手段２８２にて記録再生装置２００の外部に設けられた外部装置から送信されるコンテンツが録画された場合は、計時手段２９０より得た現在時刻などに基づいて、少なくともそのコンテンツの録画開始日時と、録画終了日時と、などが１つのデータ構造として構成されたコンテンツ基本情報６１２を適宜生成する。
【００５０】
そして、コンテンツ管理情報生成手段２８３は、コンテンツナンバ６１１に特定されるコンテンツデータを自動削除処理の対象とするか否かを示す自動削除処理対象フラグ６１３を生成する。具体的には、コンテンツ管理情報生成手段２８３は、録画制御手段２８２により自動録画予約に基づいてコンテンツデータが録画されると、このコンテンツデータを自動削除処理の対象とする旨を示す「１」のフラグ情報を組み込んだ自動削除処理対象フラグ６１３を生成する。また、コンテンツ管理情報生成手段２８３は、入力手段２５０における入力操作に基づく操作信号により現在受信して再生しているコンテンツデータを録画制御手段２８２により録画する場合、もしくは録画制御手段２８２により手動録画予約に基づいてコンテンツデータを録画する場合に、このコンテンツデータを自動削除処理の対象から外す旨を示す「０」のフラグ情報を組み込んだ自動削除処理対象フラグ６１３を生成する。なお、ここでは、特定のコンテンツデータを録画した場合に、自動削除処理対象フラグ６１３に「１」のフラグ情報を組み込む構成について例示するが、例えば特定のコンテンツデータを録画した場合に、自動削除させない旨を示す「０」のフラグ情報を組み込んだ自動削除処理対象フラグ６１３を生成する構成などとしてもよい。
【００５１】
また、コンテンツ管理情報生成手段２８３は、コンテンツデータを自動削除処理により削除するまでの保存時間を例えば予め設定された時間Ｚに設定し、この保存時間Ｚに関する保存時間情報６１４を生成して取得する。また、このコンテンツデータが１回も再生されていないことを示す「０」のフラグ情報を生成する。そして、このフラグ情報を組み込んだアクセスフラグ６１５を生成する。また、このコンテンツデータのアクセス回数を０に設定し、このアクセス回数を記載したアクセス回数情報６１６を生成する。さらに、コンテンツ管理情報生成手段２８３は、アクセス時間情報６１７を生成、すなわち後述する再生制御手段２８４により更新されるアクセス時間情報６１７を設定する。そして、コンテンツ管理情報生成手段２８３は、コンテンツナンバ６１１と、コンテンツ基本情報６１２と、自動削除処理対象フラグ６１３と、保存時間情報６１４と、アクセスフラグ６１５と、アクセス回数情報６１６と、アクセス時間情報６１７と、を組み込んだコンテンツ管理情報６１０を適宜生成して、コンテンツ管理リスト情報６００に組み込む。
【００５２】
再生制御手段２８４は、入力手段２５０から操作信号として送信される各種情報に基づいて、ＨＤＤ２６０に記録されたコンテンツデータもしくはダイジェストデータの再生処理を実施する。具体的には、再生制御手段２８４は、入力手段２５０から操作信号として送信されるアクセス要求情報を取得すると、このアクセス要求情報に基づいてコンテンツデータもしくはダイジェストデータを再生する旨の要求を認識する。また、入力手段２５０からコンテンツ特定情報またはダイジェスト特定情報を取得すると、これら特定情報に基づいてコンテンツデータまたはダイジェストデータを特定する番号を認識する。そして、再生制御手段２８４は、コンテンツデータのアクセス処理、すなわち記録再生処理手段２４０、Ｄｅｍｕｘ２２０、デコーダ２３０の動作を制御して、コンテンツデータを出力装置３００へ適宜出力させる処理をする。なお、再生制御手段２８４は、コンテンツデータおよびダイジェストデータを出力装置３００に出力する際、ダイジェストデータをコンテンツデータの出力状態と異なる状態で出力させる制御をする。すなわち、例えば、ダイジェストデータを再生している際はダイジェスト再生中などの文字情報を表示部３２０の表示画面の一部に出力表示させる、などが例示できる。
【００５３】
また、再生制御手段２８４は、ＨＤＤ２６０に記録されたコンテンツデータのアクセス処理を実施すると、このコンテンツデータに関するコンテンツ管理情報６１０のアクセスフラグ６１５やアクセス回数情報６１６を適宜変更する。具体的には、再生制御手段２８４は、ＨＤＤ２６０に記録されたコンテンツデータのアクセス処理を実施すると、取得したコンテンツ特定情報に基づいて、アクセス、すなわち再生されていたコンテンツデータを特定する番号を認識する。さらに、この特定された番号が記載されたコンテンツナンバ６１１をコンテンツ管理リスト情報６００から検索して、この検索したコンテンツナンバ６１１が組み込まれたコンテンツ管理情報６１０を認識する。そして、このコンテンツ管理情報６１０のアクセス回数情報６１６に１を加算し、計時手段２９０による計時に基づいてコンテンツデータの再生時間をアクセス時間情報６１７におけるアクセス時間に累積的に加算して総再生時間を演算し、アクセス時間情報６１７を更新する。さらに、このコンテンツ管理情報６１０のアクセスフラグ６１５が「０」に設定されていることを認識すると、このアクセスフラグ６１５を「１」に設定する。
【００５４】
コンテンツ管理手段２８５は、ＨＤＤ２６０に記録されたコンテンツデータの中から削除するコンテンツデータを、コンテンツデータのＨＤＤ２６０に記録されてからの経過時間や再生状況などに基づいて、特定する。具体的には、コンテンツ管理リスト情報６００から自動削除処理対象フラグ６１３が「１」に設定されたコンテンツ管理情報６１０、すなわち自動削除処理の対象になっているコンテンツデータに対応するコンテンツ管理情報６１０を検索する。そして、この検索したコンテンツ管理情報６１０のコンテンツ基本情報６１２における録画終了日時を認識する。また、コンテンツ管理手段２８５は、計時手段２９０から現在日時情報を適宜取得して現在日時を認識する。さらに、これら録画終了日時と現在日時とに基づいて、それぞれ自動削除処理対象となったコンテンツの経過時間を認識する。
【００５５】
また、コンテンツ管理手段２８５は、このコンテンツ管理情報６１０のアクセスフラグ６１５が「０」に設定されていることを認識すると、コンテンツナンバ６１１により特定されるコンテンツデータが、録画終了日時から現在日時までの間に１回も再生されていないと認識する。そして、コンテンツ管理手段２８５は、このコンテンツデータに対応する保存時間情報６１４により示される保存時間Ｚから経過時間を減算して０以下になったことを認識すると、このコンテンツデータの保存期限が切れたと判断し、このコンテンツデータを削除するコンテンツデータとして特定する。また、コンテンツ管理手段２８５は、保存時間Ｚから経過時間を減算した値が０よりも大きいことを認識すると、このコンテンツデータの保存期限は切れておらず削除するコンテンツデータではないと判断する。
【００５６】
さらに、コンテンツ管理手段２８５は、認識したコンテンツ管理情報６１０のアクセスフラグ６１５が「１」に設定されていることを認識すると、コンテンツデータが録画終了日時から現在日時までの間に少なくとも１回再生されていると認識する。また、このコンテンツ管理情報６１０のアクセス回数情報６１６およびアクセス時間情報６１７に基づいて再生回数および総再生時間を認識する。そして、アクセス時間がコンテンツ長に対してＬ倍以上（Ｌは、例えば０．５や３．０などの任意の値に設定できる）、すなわち、コンテンツデータの総再生時間を再生回数で除算した値が閾値Ｌより多いと認識すると、このコンテンツ管理情報６１０の自動削除処理対象フラグ６１３を「０」に設定する。また、コンテンツ管理手段２８５は、アクセス時間がコンテンツ長に対してＬ倍未満であることを認識すると、このコンテンツデータを自動削除処理の対象と認識し、このコンテンツ管理情報６１０の自動削除処理対象フラグ６１３を「１」にしたまま、設定変更しない。さらに、コンテンツ管理情報生成手段２８３は、特定のコンテンツデータを保護するすなわち入力手段２５０にて特定のコンテンツデータを自動削除処理の対象から外す旨のコンテンツ保護情報が入力されると、そのコンテンツに対応するコンテンツ管理情報６１０の自動削除処理対象フラグ６１３を「０」に設定する。
【００５７】
ダイジェスト生成手段２８６は、削除するコンテンツに対応するダイジェストデータを生成させ、このダイジェストデータをＨＤＤ２６０に記憶させる処理をする。具体的には、ダイジェスト生成手段２８６は、コンテンツ管理手段２８５により削除するコンテンツデータが特定されると、このコンテンツデータをＨＤＤ２６０のデータ記憶領域に記憶されたコンテンツデータの中から引き出す。そして、ダイジェスト生成手段２８６は、このコンテンツデータに基づいて、ダイジェストデータを生成する。すなわち、例えば、コンテンツデータが番組データなどのストリームデータである場合、ダイジェスト生成手段２８６は、例えばコンテンツデータの始まりから所定の時間までのコンテンツデータを複製する処理を実施してダイジェストデータを生成する。また、例えば、ダイジェスト生成手段２８６は、コンテンツデータの解像度を下げるデータ処理を実施してダイジェストデータを生成する。なお、このダイジェストデータを生成する方法としては、従来のデータ圧縮処理またはデータ複製処理などいずれの構成を採用することができる。また、ダイジェスト生成手段２８６は、生成したダイジェストデータをＨＤＤ２６０のデータ記憶領域に記録する処理を実施し、このダイジェストデータに固有の番号を付与する。
【００５８】
ダイジェスト管理情報生成手段２８７は、ダイジェスト生成手段２８６にて生成されたダイジェストデータに関するダイジェスト管理情報７１０を適宜生成してダイジェスト管理リスト情報７００へ組み込む。具体的には、ダイジェスト管理情報生成手段２８７は、ダイジェスト生成手段２８６により特定のコンテンツデータに対応するダイジェストの生成処理が実施されたことを認識すると、この生成されたダイジェストに付与された番号を認識する。そして、この番号が記載されたダイジェストナンバ７１１を生成する。
【００５９】
さらに、ダイジェスト管理情報生成手段２８７は、このダイジェストナンバ７１１に特定されるダイジェストデータに関するダイジェスト基本情報７１２を生成する。具体的には、ダイジェスト管理情報生成手段２８７は、ダイジェスト生成手段２８６にてダイジェストデータが録画される際に、このダイジェストデータと対応するコンテンツデータのコンテンツ基本情報６１２に基づいて、このコンテンツタイトルと、録画開始日時と、録画終了日時と、などを抽出する。また、ダイジェスト管理情報生成手段２８７は、計時手段２９０よりダイジェスト生成手段２８６にてダイジェストデータが生成された生成日時を得る。そして、ダイジェスト管理情報生成手段２８７は、これらコンテンツ基本情報６１２より抽出した情報および計時手段２９０より得た生成日時に基づき、コンテンツタイトルと、録画開始日時と、録画終了日時と、生成日時などが１つのデータ構造として構成されたダイジェスト基本情報７１２を適宜生成する。
【００６０】
そして、ダイジェスト管理情報生成手段２８７は、ダイジェストナンバ７１１に特定されるダイジェストデータを自動削除処理の対象とするか否かを示す自動削除処理対象フラグ７１３を生成する。具体的には、ダイジェスト管理情報生成手段２８７は、ダイジェスト生成手段２８６にてダイジェストデータが生成されると、このダイジェストデータを自動削除処理の対象とする旨を示す「１」のフラグ情報を組み込んだ自動削除処理対象フラグ７１３を生成する。なお、ここでは、ダイジェストデータを生成した場合に、自動削除処理対象フラグ７１３に「１」のフラグ情報を組み込む構成について例示するが、例えばダイジェストデータを生成した場合に、自動削除させない旨を示す「０」のフラグ情報を組み込んだ自動削除処理対象フラグ７１３を生成する構成などとしてもよい。
【００６１】
また、ダイジェスト管理情報生成手段２８７は、ダイジェストデータを自動削除するまでの保存時間を例えば予め設定された時間Ｔに設定し、この保存時間Ｔに関する保存時間情報６１４を生成して取得する。そして、ダイジェスト管理情報生成手段２８７は、ダイジェストナンバ７１１と、ダイジェスト基本情報７１２と、自動削除処理対象フラグ７１３と、保存時間情報７１４と、を組み込んだダイジェスト管理情報７１０を適宜生成して、ダイジェスト管理リスト情報７００に組み込む。
【００６２】
コンテンツ削除手段２８８は、ダイジェスト生成手段２８６にてダイジェストデータがＨＤＤ２６０に記憶されると、このダイジェストデータに対応するコンテンツデータをＨＤＤ２６０から削除する。さらに、コンテンツ削除手段２８８は、コンテンツデータの削除に伴って、対応するコンテンツ管理情報６１０をコンテンツ管理リスト情報６００から削除する。
【００６３】
ダイジェスト管理手段２８９は、ダイジェストデータのＨＤＤ２６０に記録されてからの経過時間や再生状況などに基づいて、特定のダイジェストデータをＨＤＤ２６０から適宜自動削除する。具体的には、ダイジェスト管理リスト情報７００から自動削除処理対象フラグ７１３が「１」に設定されたダイジェスト管理情報７１０、すなわち自動削除処理の対象になっているダイジェストデータに対応するダイジェスト管理情報７１０を検索する。そして、この検索したダイジェスト管理情報７１０のダイジェスト基本情報７１２における生成日時を認識する。また、ダイジェスト管理手段２８９は、計時手段２９０から現在日時情報を適宜取得して現在日時を認識する。さらに、これら生成日時と現在日時とに基づいて、それぞれ自動削除処理対象となったダイジェストデータの経過時間を認識する。
【００６４】
また、ダイジェスト管理手段２８９は、このダイジェストデータが期限が切れたと認識する、すなわちこのダイジェストデータに対応する保存時間情報６１４により示される保存時間Ｔから経過時間を減算して０以下になったことを認識すると、このダイジェストデータをＨＤＤ２６０から削除するとともに、このダイジェストデータに対応するダイジェスト管理情報７１０をダイジェスト管理リスト情報７００から削除する。また、ダイジェスト管理手段２８９は、保存時間Ｔから経過時間を減算した値が０以上であることを認識すると、ダイジェストデータの期限が切れていない、すなわちダイジェストデータの録画終了日時からの経過時間が保存時間内にあると判断する。なお、ダイジェスト管理手段２８９は、入力手段２５０にて特定のダイジェストデータを自動削除処理の対象から外す旨のダイジェスト保護情報が入力されると、そのダイジェストデータに対応するダイジェスト管理情報７１０の自動削除処理対象フラグ７１３を「０」に設定する。また、ダイジェスト管理手段２８９は、入力手段２５０にて特定のダイジェストデータを削除する旨のダイジェスト削除情報が入力された場合、そのダイジェストデータおよびそのダイジェストデータに対応するダイジェスト管理情報７１０を削除する。
【００６５】
｛コンテンツ記録再生システムの動作｝
次に、コンテンツ記録再生システム１００の動作を適宜図面を参照して説明する。
【００６６】
（手動録画予約処理）
まず、記録再生システム１００の動作として、手動録画予約処理について説明する。まず、利用者は、例えば入力手段２５０の入力操作により、手動録画予約要求情報を設定入力する。記録再生装置２００は、ＣＰＵ２９０の録画予約設定手段２８１にて、手動録画予約要求情報を取得すると、この手動録画予約要求情報に記載された録画開始日時、録画終了日時、チャンネル番号などの各種情報を認識する。そして、録画予約設定手段２８１は、これら各種情報が記載された録画基本情報５１１を生成し、この録画基本情報５１１を組み込んだ予約情報５１０を生成する。そして、録画予約設定手段２８１は、録画予約リスト情報５００を更新して、手動録画予約処理を終了する。
【００６７】
（自動録画予約処理）
次に、記録再生システム１００の動作として、自動録画予約処理について説明する。まず、利用者は、入力手段２５０の入力操作により、自動録画予約要求情報を設定入力する。記録再生装置２００は、ＣＰＵ２９０の録画予約設定手段２８１にて、自動録画予約要求情報を取得すると、この自動録画予約要求情報に記載された例えばキーワードを認識する。また、あらかじめ通信手段２１０に取得させ、ＨＤＤ２６０に記憶させておいたＥＰＧデータを取得する。そして、録画予約設定手段２８１は、ＥＰＧデータに基づいて、利用者により設定されたキーワードに対応する番組があるか否かを判断する。具体的には、キーワードに一致あるいは関連する番組名、番組記述、ジャンル、シリーズ名などのコンテンツをＥＰＧデータから検索できたか否かを判断する。キーワードに対応する番組があると判断した場合、ＥＰＧデータに基づいて、録画開始日時、録画終了日時、チャンネル番号などが記載された録画基本情報５１１を生成する。この後、録画予約設定手段２８１は、録画基本情報５１１を組み込んだ予約情報５１０を生成し、録画予約リスト情報５００を更新して、自動録画予約処理を終了する。
【００６８】
（予約情報に基づくコンテンツの録画処理）
次に、記録再生システム１００の動作として、予約情報５１０に基づいたコンテンツの録画処理について説明する。まず、記録再生装置２００は、ＣＰＵ２８０の録画制御手段２８２にて、計時手段２９０からの現在日時情報に基づいて現在日時を認識するとともに、各予約情報５１０の録画基本情報５１１に基づいて録画開始日時を認識する。この後、録画制御手段２８２は、いずれかの予約情報５１０に対応する予約録画の録画開始日時になったことを認識すると、録画基本情報５１１に基づいて、通信手段２１０、Ｄｅｍｕｘ２２０、記録再生処理手段２４０を適宜制御して、コンテンツデータをＨＤＤ２７０に記録させる。この後、録画制御手段２８２は、録画基本情報５１１に基づいて録画終了日時になったことを認識すると、コンテンツの記録を終了させるとともに、このコンテンツに固有の番号を付与する。
【００６９】
そして、コンテンツ管理情報生成手段２８３は、録画制御手段２８２により自動録画予約に基づいてコンテンツデータが録画された場合、このコンテンツデータを自動削除処理の対象とする旨を示す「１」のフラグ情報を組み込んだ自動削除処理対象フラグ６１３を生成する。また、コンテンツ管理情報生成手段２８３は、録画制御手段２８２により手動録画予約に基づいてコンテンツデータを録画した場合、このコンテンツデータを自動削除処理の対象から外す旨を示す「０」のフラグ情報を組み込んだ自動削除処理対象フラグ６１３を生成する。コンテンツ管理情報生成手段２８３は、コンテンツデータを自動削除処理により削除するまでの保存時間を時間Ｚに設定し、この保存時間Ｚに関する保存時間情報６１４を生成して取得する。また、このコンテンツデータが１回も再生されていないことを示す「０」のフラグ情報を生成する。そして、このフラグ情報を組み込んだアクセスフラグ６１５を生成する。また、このコンテンツデータの再生回数を０に設定し、この再生回数を記載したアクセス回数情報６１６を生成し、さらに、コンテンツデータのアクセス時間を記載したアクセス時間情報６１７を生成する。そして、コンテンツ管理情報生成手段２８３は、コンテンツナンバ６１１と、コンテンツ基本情報６１２と、自動削除処理対象フラグ６１３と、保存時間情報６１４と、アクセスフラグ６１５と、アクセス回数情報６１６と、アクセス時間情報６１７と、を組み込んだコンテンツ管理情報６１０を適宜生成して、コンテンツ管理リスト情報６００に組み込む。
【００７０】
（コンテンツデータのアクセス処理）
次に、コンテンツ記録再生システム１００の動作として、コンテンツデータのアクセス処理について図６に基づいて説明する。なお、ここでは、コンテンツデータのアクセス処理として、コンテンツデータを再生する処理を例示して説明する。図６は、コンテンツデータのアクセス処理を示すフローチャートである。
【００７１】
まず、利用者は、入力手段２５０の入力操作により、任意のコンテンツデータの再生を要求する旨のアクセス要求情報を設定入力する。記録再生装置２００は、図６に示すように、ＣＰＵ２８０の再生制御手段２８４にて、アクセス要求情報を取得すると、任意のコンテンツデータの再生が要求されている旨を認識する（ステップＳ１０１）。この後、利用者は、入力手段２５０の入力操作により、再生するコンテンツデータを特定するコンテンツ特定情報を適宜設定入力する。記録再生装置２００の再生制御手段２８４は、コンテンツ特定情報を取得すると、このコンテンツ特定情報に記載された例えばコンテンツデータを特定する番号に基づいて、再生するコンテンツデータを特定する（ステップＳ１０２）。この後、再生制御手段２８４は、このコンテンツデータのアクセス処理を実施する（ステップＳ１０３）。ここでは、再生制御手段２８４は、記録再生処理手段２４０を制御して、コンテンツ特定情報に記載された番号が付与されたコンテンツデータをＨＤＤ２６０から取得させる。この後、再生制御手段２８４は、Ｄｅｍｕｘ２２０、デコーダ２３０を適宜制御して、記録再生処理手段２４０で取得したコンテンツデータを再生させ、出力装置３００からコンテンツデータを出力させる。
【００７２】
この後、再生制御手段２８４は、取得したコンテンツ特定情報に基づいて、再生されていたコンテンツデータを特定する番号を認識する。さらに、この認識した番号が記載されたコンテンツナンバ６１１を有するコンテンツ管理情報６１０を、コンテンツ管理リスト情報６００から検索する。そして、このコンテンツ管理情報６１０のアクセス回数情報６１６に１を加算し（ステップＳ１０４）、計時手段２９０により計時したコンテンツデータの再生時間をアクセス時間情報６１７におけるアクセス時間に累積的に加算してアクセス時間情報６１７を更新する（ステップＳ１０５）。この後、再生制御手段２８４は、このコンテンツ管理情報６１０のアクセスフラグ６１５が「０」に設定されているか否かを判断する（ステップＳ１０６）。
【００７３】
このステップＳ１０６において、ＣＰＵ２８０は、再生制御手段２８４でアクセスフラグ６１５が「０」ではなく「１」に設定されていると判断した場合、コンテンツデータのアクセス処理を終了する。一方、ステップＳ１０６において、再生制御手段２８４は、アクセスフラグ６１５が「０」に設定されていると判断した場合、アクセスフラグ６１５を「１」に設定する（ステップＳ１０７）。この後、ＣＰＵ２８０は、コンテンツデータのアクセス処理を終了する。
【００７４】
なお、例えば入力手段２５０の入力操作により、ＣＰＵ２８０がダイジェストデータの再生を要求する旨を認識すると、再生制御手段２８４は、ダイジェストデータを出力装置３００にて出力させる処理をする。この処理の際、ダイジェストデータをコンテンツデータの出力状態すなわち再生形態と異なる状態で再生させる制御をする。すなわち、例えば、ダイジェストデータを再生している際はダイジェスト再生中などの文字情報を表示部３２０の表示画面の一部に表示させるなどの制御をする。また、例えば、再生制御手段２８４は、ＨＤＤ２６０に記憶されたダイジェストデータおよびコンテンツデータを表示部３２０にサムネイルなどとして一覧表示する場合、ダイジェストデータに所定のアイコンを付して表示する構成としてもよい。
【００７５】
（コンテンツデータの自動削除処理）
次に、記録再生システム１００の動作として、コンテンツデータの自動削除処理について図７に基づいて説明する。図７は、コンテンツデータの自動削除処理を示すフローチャートである。
【００７６】
まず、記録再生装置２００は、ＣＰＵ２８０のコンテンツ管理手段２８５にて、コンテンツ管理リスト情報６００に組み込まれた各コンテンツ管理情報６１０の自動削除処理対象フラグ６１３に基づいて、ＨＤＤ２６０に記憶されたコンテンツデータのうち削除候補である自動削除処理の対象となっているコンテンツデータがあるか否かを判断する（ステップＳ２０１）。このステップＳ２０１において、自動削除処理対象のコンテンツデータがないと判断した場合、コンテンツデータの自動削除処理を終了する。一方、ステップＳ２０１において、コンテンツ管理手段２８５は、自動削除処理対象のコンテンツデータがあると判断した場合、このコンテンツデータに対応するコンテンツ管理情報６１０のコンテンツ基本情報６１２における録画終了日時を認識する（ステップＳ２０２）。ここで、コンテンツ管理手段２８５は、自動削除処理対象のコンテンツデータが複数あると判断した場合、各コンテンツデータの録画終了日時を認識する。この後、計時手段２９０から現在日時情報を取得して、現在日時を認識する（ステップＳ２０３）。そして、コンテンツ管理手段２８５は、これら録画終了日時と現在日時とに基づいて、それぞれ自動削除処理対象となったコンテンツデータの経過時間を認識する（ステップＳ２０４）。
【００７７】
この後、コンテンツ管理手段２８５は、このコンテンツ管理情報６１０のアクセスフラグ６１５に基づいて、コンテンツデータのアクセス処理が実施されているか否かを判断する（ステップＳ２０５）。このステップＳ２０５において、アクセス処理が実施されていると判断した場合、コンテンツ管理情報６１０のアクセス回数情報６１６およびアクセス時間情報６１７に基づいて、アクセス時間がコンテンツ長に対してＬ倍以上か否かを判断する（ステップＳ２０６）。そして、このステップＳ２０６において、アクセス時間がコンテンツ長に対してＬ倍以上であると判断した場合、コンテンツ管理情報６１０の自動削除処理対象フラグ６１３を「０」に設定する（ステップＳ２０７）。一方、ステップＳ２０６において、コンテンツ管理手段２８５は、アクセス時間がコンテンツ長に対してＬ倍未満であると判断した場合、このコンテンツデータを削除候補と認識し、このコンテンツデータに対応するコンテンツ管理情報６１０の自動削除処理対象フラグ６１３を「１」のまま設定変更せず、例えば設定時間が経過した後にステップＳ２０１の処理を実施する。
【００７８】
一方、ステップＳ２０５において、コンテンツ管理手段２８５は、アクセス処理が実施されていないと判断した場合、保存時間情報６１４により示される保存時間Ｚから経過時間を減じて（ステップＳ２０８）、減じた結果が０以下になったか否か、すなわちコンテンツデータの保存期限が切れたか否かを判断する（ステップＳ２０９）。このステップＳ２０９において、コンテンツデータの保存期限が切れていないと判断した場合、例えば設定時間が経過した後にステップＳ２０１の処理を実施する。一方、ステップＳ２０９において、コンテンツ管理手段２８５は、コンテンツデータの保存期限が切れたと判断した場合、削除するコンテンツデータを特定する（ステップＳ２１０）。そして、ダイジェスト生成手段２８６は、コンテンツ管理手段２８５により特定されたコンテンツデータに対応するダイジェストデータを生成する（ステップＳ２１１）。
【００７９】
さらに、ダイジェスト生成手段２８６は、ダイジェストデータを生成させると、このダイジェストデータをＨＤＤ２６０に記録させる（ステップＳ２１２）。この時、ダイジェスト管理情報生成手段２８７は、ダイジェスト生成手段２８６にて生成されたダイジェストデータに関するダイジェスト管理情報７１０を適宜生成して、ダイジェスト管理リスト情報７００へ組み込む。この後、コンテンツ削除手段２８８は、この生成したダイジェストデータに対応するコンテンツデータをＨＤＤ２６０から削除するとともに、このダイジェストデータに対応するコンテンツ管理情報６１０をコンテンツ管理リスト情報６００から削除する（ステップＳ２１３）。そして、例えば設定時間が経過した後にステップＳ２０１の処理を実施する。
【００８０】
（ダイジェストデータの自動削除処理）
次に、記録再生システム１００の動作として、ダイジェストデータの自動削除処理について図８に基づいて説明する。図８は、ダイジェストデータの自動削除処理を示すフローチャートである。
【００８１】
まず、記録再生装置２００は、ＣＰＵ２８０のダイジェスト管理手段２８９にて、ダイジェスト管理リスト情報７００に組み込まれた各ダイジェスト管理情報７１０の自動削除処理対象フラグ７１３に基づいて、ＨＤＤ２６０に記憶されたダイジェストデータのうち削除候補である自動削除処理の対象となっているダイジェストデータがあるか否かを判断する（ステップＳ３０１）。このステップＳ３０１において、自動削除処理対象のダイジェストデータがないと判断した場合、ダイジェストデータの自動削除処理を終了する。一方、ステップＳ３０１において、ダイジェスト管理手段２８９は、自動削除処理対象のダイジェストデータがあると判断した場合、このダイジェストデータに対応するダイジェスト管理情報７１０のダイジェスト基本情報７１２における生成日時を認識する（ステップＳ３０２）。ここで、ダイジェスト管理手段２８９は、自動削除処理対象のダイジェストデータが複数あると判断した場合、各ダイジェストデータの生成日時を認識する。この後、計時手段２９０から現在日時情報を取得して、現在日時を認識する（ステップＳ３０３）。そして、ダイジェスト管理手段２８９は、これら生成日時と現在日時とに基づいて、それぞれ自動削除処理対象となったダイジェストデータの経過時間を認識する（ステップＳ３０４）。
【００８２】
この後、ダイジェスト管理手段２８９は、保存時間情報６１４により示される保存時間Ｔから経過時間を減じて（ステップＳ３０５）、減じた結果が０以下になったか否か、すなわちダイジェストデータの保存期限が切れたか否かを判断する（ステップＳ３０６）。このステップＳ３０６において、ダイジェストデータの期限が切れていないと判断した場合、例えば設定時間が経過した後にステップＳ３０１の処理を実施する。一方、ステップＳ３０６において、ダイジェスト管理手段２８９は、ダイジェストデータの保存期限が切れたと判断した場合、この期限の切れたダイジェストデータをＨＤＤ２６０から削除するとともに、このダイジェストデータに対応するダイジェスト管理情報７１０をダイジェスト管理リスト情報７００から削除する（ステップＳ３０７）。そして、例えば設定時間が経過した後にステップＳ３０１の処理を実施する。
【００８３】
｛コンテンツ記録再生システムの作用効果｝
上述したように、上記実施の形態では、コンテンツ記録再生システム１００のＣＰＵ２８０は、録画制御手段２８２にてコンテンツデータを取得してＨＤＤ２６０に記憶させる処理をする。そして、コンテンツ管理手段２８５によりＨＤＤ２６０に記憶されたコンテンツデータのうち削除するコンテンツデータが特定されると、ダイジェスト生成手段２８６は、削除するコンテンツデータの一部を抽出してダイジェストデータを生成し、ＨＤＤ２６０に記憶させる。この後、コンテンツ削除手段２８８は、コンテンツ管理手段２８５にて特定されたコンテンツデータを削除する。
【００８４】
このため、ＨＤＤ２６０に記憶されたコンテンツデータが削除された後も、削除されたコンテンツデータに対応するダイジェストデータがＨＤＤ２６０に記憶されているため、利用者は削除されたコンテンツデータの概要を把握することができる。さらに、コンテンツデータを削除させる際にダイジェストデータを生成するので、ダイジェストデータが膨大に増えることもなく、ダイジェストデータを視聴する利用者の負担が軽減され、かつＨＤＤ２６０の空き容量を確保できる。また、例えば自動録画予約処理により多数のコンテンツデータがＨＤＤ２６０に記録され、短期間のうちにＨＤＤ２６０の記憶容量の空き容量が減少した場合、真に利用者の嗜好に合致したコンテンツデータのみをＨＤＤ２６０に保存し、それ以外の全てのコンテンツデータをＨＤＤ２６０より削除してダイジェストデータとして保存するなどの利用形態を実現できる。これにより、自動録画予約した全てのコンテンツの少なくとも概要を把握できる。また、ＨＤＤ２６０の空き容量を十分に確保できるので、空き容量不足のために自動録画予約による録画が実施できないなどの事態を避けることができる。したがって、コンテンツデータを良好に管理できる。
【００８５】
そして、コンテンツ管理情報生成手段２８３は、コンテンツデータがＨＤＤ２６０に記憶された日時に関する録画終了日時を取得し、コンテンツデータがＨＤＤ２６０に記憶されている期間に関するコンテンツ保存時間情報を取得する。さらに、コンテンツ管理手段２８５は、現在日時に関する現在日時情報を取得し、コンテンツデータの録画終了日時から現在日時までの経過時間がコンテンツ保存時間情報の時間Ｚ以上となったことを認識すると、このコンテンツデータを削除するコンテンツデータとして特定する。そして、コンテンツ管理手段２８５にて削除するコンテンツデータとして特定されたコンテンツデータは、コンテンツ削除手段２８８にてＨＤＤ２６０より削除される。このため、保存期限の切れたコンテンツデータが自動的に削除されるので、利用者が手入力でダイジェストデータを削除しなくても、ＨＤＤ２６０の空き容量を確保できる。したがって、例えば空き容量の不足のために利用者の嗜好に合うコンテンツデータを記憶させることができなくなるおそれを最小限に抑えることができる。さらには、自動的に削除されるので、使い勝手を向上でき、利便性を向上できる。
【００８６】
また、再生制御手段２８４は、コンテンツデータの再生処理を実施すると、再生したコンテンツに関するコンテンツ管理情報６１０のアクセス回数情報６１６およびアクセス時間情報６１７を適宜更新する。そして、コンテンツ管理手段２８５は、アクセス回数情報６１６およびアクセス時間情報６１７に基づいて、特定のコンテンツデータのアクセス時間がコンテンツ長に対してＬ倍未満であることを認識すると、このコンテンツデータに対応する自動削除処理対象フラグ６１３を「１」に設定し、このコンテンツデータを自動削除処理の対象として認識する。さらに、コンテンツ管理手段２８５は、ＨＤＤ２６０に記憶されたコンテンツデータのうち自動削除処理の対象となったコンテンツデータについてコンテンツデータの自動削除処理を実施し、削除するコンテンツデータを特定する。このため、利用者が特定のコンテンツデータを所定の保存時間までに所定時間以上再生することにより、このコンテンツデータは利用者の嗜好に合致していると判断され、コンテンツデータの自動削除処理の対象から外される。したがって、特別な設定入力を実施することなく、コンテンツデータを予期せぬ自動削除から保護することができ、記録再生装置２００の使い勝手を向上できる。また、処理対象が自動削除処理の対象となったコンテンツデータでよく、処理効率を向上でき、処理速度の向上が容易に得られる。さらに、コンテンツ管理手段２８５は、アクセス回数情報６１６およびアクセス時間情報６１７の双方に基づいて特定のコンテンツデータが自動削除処理の対象か否かを判断するため、例えばアクセス回数情報６１６のみに基づいて自動削除処理の対象か否かを判断するなどの場合と比較して、より正確に利用者の嗜好を反映させたコンテンツデータの自動削除処理を実施することができる。
【００８７】
さらに、再生制御手段２８４は、コンテンツデータの再生処理を実施すると、再生したコンテンツデータに関するコンテンツ管理情報６１０のアクセスフラグ６１５を「１」に設定する。そして、コンテンツ管理手段２８５は、アクセスフラグ６１５の設定に基づいて、アクセスされたか否かを判断する。このため、コンテンツ管理手段２８５は、アクセスフラグ６１５の設定を認識するだけの簡単な方法でアクセスされたか否かを判断でき、コンテンツデータの自動削除処理をより迅速にできる。
【００８８】
そして、コンテンツ記録再生システム１００のＣＰＵ２８０は、ダイジェスト管理手段２８９にて、ＨＤＤ２６０に記憶された所定のダイジェストデータを削除する。このため、不要になったダイジェストデータも適宜削除できるので、ダイジェストデータが無制限に増えることを防止でき、また、ダイジェストデータを視聴する利用者の負担も軽減される。さらに、ＨＤＤ２６０の容量を確保することができ、ダイジェストデータを良好に管理できる。
【００８９】
また、ダイジェスト管理情報生成手段２８７は、ダイジェスト生成手段２８６にて生成された日時に関する生成日時情報を取得し、ダイジェストデータがＨＤＤ２６０に記憶されている保存時間に関する保存時間情報７１４を取得する。そして、ダイジェスト管理手段２８９は、計時手段２９０から現在日時情報を適宜取得し、生成日時情報の日時から現在日時までの経過時間がダイジェスト保存時間情報の保存時間Ｔ以上となったことを認識すると、この生成日時情報に対応するダイジェストデータを削除する。このため、期限の切れたダイジェストデータを自動的に削除できるので、利用者が手入力でダイジェストデータを削除しなくても、ＨＤＤ２６０の空き容量を確保できる。したがって、利用者の使い勝手を向上でき、利便性を向上することができる。
【００９０】
さらに、録画予約設定手段２８１は、ＥＰＧデータを取得する。そして、利用者により設定入力される録画開始日時や録画終了日時あるいはチャンネルなどが記載された手動録画予約要求情報を取得し、この手動録画予約要求情報の各種事項により特定される特定のコンテンツに対応するコンテンツデータを録画制御手段２８２で取得させＨＤＤ２６０に記憶させる旨の予約情報５１０を生成する。また、録画予約設定手段２８１は、利用者により設定入力されるキーワードが記載された自動録画予約要求情報を取得し、例えばＥＰＧデータを参照し、自動録画予約要求情報のキーワードに関連するコンテンツに対応するコンテンツデータを録画制御手段２８２で取得させＨＤＤ２６０に記憶させる旨の予約情報５１０を生成する。このため、記録再生装置２００は、手動録画予約処理および自動録画予約処理を実施でき、特に自動録画予約処理によって利用者の嗜好に合致したコンテンツデータを自動的に予約録画することができる。これにより、利用者は予め所定のキーワードを設定することで、利用者の知り得なかった放送番組コンテンツなどを録画することができる。さらに、自動録画予約処理により多数のコンテンツデータがＨＤＤ２６０に記録されたとしても、コンテンツ管理手段２８５により自動削除されるため、ＨＤＤ２６０の空き容量が不足して新たなコンテンツデータを記憶できない事態を避けることができる。また、自動録画予約により取得したコンテンツデータを利用者視聴しないままに自動削除されたとしても、利用者はダイジェストデータを視聴することにより削除されたコンテンツデータの概要を把握することができる。このことにより、自動録画予約処理で取得したコンテンツデータについて削除処理する構成において、特に有効である。
【００９１】
そして、再生制御手段２８４は、コンテンツデータおよびダイジェストデータを出力する出力装置３００に、ダイジェストデータをコンテンツデータの出力状態すなわち再生形態と異なる状態で再生させる制御をする。すなわち、例えば、ダイジェストデータを再生している際はダイジェスト再生中などの文字情報を表示部３２０の表示画面の一部に表示させるなどの制御をする。このため、利用者が表示部３２０で再生出力されているダイジェストデータがコンテンツデータであると混同することを防止できる。
【００９２】
〔第２の実施の形態〕
次に、本発明における第２の実施の形態について説明する。
【００９３】
第２の実施の形態は、図１ないし図８に示す第１の実施の形態における削除するコンテンツデータの特定方法および削除するダイジェストデータの特定方法を、ＨＤＤ２６０における空き容量に基づいて処理する構成としたものである。このことにより、第１の実施の形態と同一の構成については、同一の符号を付して説明を省略または簡略化する。
【００９４】
｛第２の実施の形態の構成｝
ＨＤＤ２６０は、コンテンツデータを記憶する図示しないコンテンツ記憶領域と、ダイジェストデータを記憶する部分データ記憶領域としての図示しないダイジェスト記憶領域と、などを備えている。これらのコンテンツ記憶領域およびダイジェスト記憶領域は、互いにＨＤＤ２６０のデータ記憶領域を２分して設けられ、それぞれの占める領域の大きさは、予め設定されて固定されている。具体的には、例えば、ＨＤＤ２６０のデータ記憶領域が１０１Ｇｂの記憶容量を有している場合、コンテンツ記憶領域の記憶容量は例えば１００Ｇｂなどに設定され、ダイジェスト記憶領域の記憶容量は例えば１Ｇｂなどに設定される。なお、これらコンテンツ記憶領域およびダイジェスト記憶領域のそれぞれの占める領域の割合は任意であり、例えば、利用者の設定入力により設定できる構成としてもよい。また、これらコンテンツ記憶領域およびダイジェスト記憶領域などは、メモリ２７０に記憶されて構築される構成としてもよい。
【００９５】
コンテンツ管理手段２８５は、ＨＤＤ２６０のコンテンツ記憶領域に記憶可能な記憶容量が所定の量Ｘ以下であると判断した場合、コンテンツデータの自動削除処理を実施する。具体的には、コンテンツ管理手段２８５は、図７におけるステップＳ２０１における処理、すなわち自動削除処理の対象となっているコンテンツデータがあるか否かを判断する前段階で、ＨＤＤ２６０のコンテンツ記憶領域に記憶可能な記憶容量が所定の量Ｘ以上確保されているか否かを判断する。例えば、ＨＤＤ２６０のコンテンツ記憶領域が１００Ｇｂに設定されている場合、空き容量が例えば２０Ｇｂ以上確保されているか否かを判断する。そして、ＨＤＤ２６０のコンテンツ記憶領域に記憶可能な記憶容量が所定の量Ｘ以上であると判断する場合、コンテンツデータの自動削除処理を終了する。一方、ＨＤＤ２６０のコンテンツ記憶領域に記憶可能な記憶容量が所定の量Ｘ未満であると判断する場合、ステップＳ２０１の処理を実施する。なお、ＨＤＤ２６０のコンテンツ記憶領域における空き容量の判断基準値Ｘは、任意であり、予め設定されている構成や入力手段２５０にて設定する構成などとしてもよい。
【００９６】
また、ダイジェスト管理手段２８９は、ＨＤＤ２６０のダイジェスト記憶領域に記憶可能な記憶容量が所定の量Ｙ以下であると判断した場合、ダイジェストデータの自動削除処理を実施する。具体的には、ダイジェスト管理手段２８９は、図８におけるステップＳ３０１における処理、すなわち自動削除処理の対象となっているダイジェストデータがあるか否かを判断する前段階で、ＨＤＤ２６０のダイジェスト記憶領域に記憶可能な記憶容量が所定の量Ｙ以上確保されているか否かを判断する。例えば、ＨＤＤ２６０のダイジェスト記憶領域が１Ｇｂに設定されている場合、空き容量が例えば０．８Ｇｂ以上確保されているか否かを判断する。そして、ＨＤＤ２６０のコンテンツ記憶領域に記憶可能な記憶容量が所定の量Ｙ以上であると判断する場合、ダイジェストデータの自動削除処理を終了する。一方、ＨＤＤ２６０のダイジェスト記憶領域に記憶可能な記憶容量が所定の量Ｙ未満であると判断する場合、ステップＳ３０１の処理を実施する。なお、ＨＤＤ２６０のダイジェスト記憶領域における空き容量の判断基準値Ｙは、任意であり、予め設定されている構成や入力手段２５０にて設定する構成などとしてもよい。
【００９７】
｛第２の実施の形態における作用効果｝
上述したように、上記第２の実施の形態では、上記図１ないし図８に示す第１の実施の形態の作用効果に加え以下の作用効果を奏する。
【００９８】
ＨＤＤ２６０は、コンテンツデータを記憶するコンテンツ記憶領域を備えている。そして、コンテンツ管理手段２８５は、ＨＤＤ２６０のコンテンツ記憶領域に記憶可能な記憶容量が所定の量Ｘ以下であると判断した場合、ＨＤＤ２６０に記憶されたコンテンツデータのうち削除するコンテンツデータを特定する。このため、ＨＤＤ２６０のコンテンツ記憶領域における空き容量が十分に確保されている状態において、コンテンツデータの自動削除処理が実施されてしまうことを防止できる。そして、利用者はＨＤＤ２６０のコンテンツ記憶領域に記憶されたコンテンツデータのうち保存期限が切れたコンテンツデータでも視聴することができる。したがって、記録再生装置２００は、コンテンツデータを良好に管理できる。
【００９９】
また、ＨＤＤ２６０は、コンテンツデータを記憶するコンテンツ記憶領域と、ダイジェストデータを記憶するダイジェスト記憶領域と、を備えている。また、ダイジェスト管理手段２８９は、ＨＤＤ２６０のダイジェスト記憶領域に記憶可能な記憶容量が所定の量Ｙ以下であると判断した場合、ＨＤＤ２６０に記憶されたダイジェストデータのうち特定のダイジェストデータを削除する。このため、ＨＤＤ２６０のダイジェスト記憶領域における空き容量が十分に確保されている状態に、ダイジェストデータの自動削除処理が実施されてしまうことを防止できる。そして、利用者はＨＤＤ２６０のダイジェスト記憶領域に記憶されたダイジェストデータのうち保存期限が切れたダイジェストデータでも視聴することができる。したがって、記録再生装置２００は、ダイジェストデータを良好に管理できる。
【０１００】
そして、ＨＤＤ２６０は、コンテンツデータを記憶するコンテンツ記憶領域と、ダイジェストデータを記憶するダイジェスト記憶領域と、を備えている。このため、１つのＨＤＤ２６０でコンテンツデータとダイジェストデータとをそれぞれ独立して管理することができるので、記録再生装置２００に搭載する部品点数を削減でき、製造性の向上や小型化などが容易に得られる。
【０１０１】
〔実施の形態の変形〕
なお、本発明は上述した実施の形態に限定されるものではなく、本発明の目的を達成できる範囲で以下に示される変形をも含むものである。
【０１０２】
すなわち、本実施形態のコンテンツ記録再生システム１００で扱うコンテンツデータとしては、上述したように例えばテレビ番組などのコンテンツの音声データ、映像データ、データ放送用データなどを有するデータを例示したが、これに限らず、ラジオ番組などの音声データやデジタル静止画像データなど、映像や音声に関するデジタルデータやアナログデータなど、いずれのコンテンツに関するデータを対象とすることができる。そして、例えば、コンテンツデータがインターネットなどにて配信される音声データなどである場合、部分データ生成手段はコンテンツデータの周波数帯を間引きする状態に部分データを生成したり、コンテンツデータがデジタル静止画像データなどである場合、部分データ生成手段はコンテンツデータの解像度を下げて部分データを生成したりするなど、いずれの方法で部分データを生成してもよい。
【０１０３】
また、ＣＰＵ２８０に、ＨＤＤ２６０に記憶されたコンテンツデータに関連付けられコンテンツデータの優先度に関するコンテンツ優先度情報を取得するコンテンツ優先度情報取得手段を設ける。そして、コンテンツ管理手段２８５は、コンテンツ優先度情報に基づいてＨＤＤ２６０に記憶されたコンテンツデータのうち削除するコンテンツデータを特定する構成としてもよい。すなわち、例えば、視聴履歴や録画履歴あるいは再生履歴などを作成し、これら履歴に基づいて利用者の嗜好を優先度として認識し、この嗜好性の強いコンテンツデータやダイジェストデータは比較的に削除されないように処理してもよい。具体的には、メモリ２７０などに利用者の嗜好のジャンルに関するキーワードが登録されたデータベースなどを設けて、コンテンツ優先度取得手段は、このデータベースに登録されたキーワードとＨＤＤ２６０に記憶されたコンテンツデータに対応するコンテンツ基本情報６１２のジャンルとを比較して一致する度合いをコンテンツデータの優先度として、コンテンツ優先度情報を取得する。そして、この優先度の度合いが低いコンテンツデータをＨＤＤ２６０から自動削除する構成などとしてもよい。このような構成では、ＨＤＤ２６０には利用者の嗜好に合致する度合いが高いコンテンツデータが優先的に残されることになるので、利用者の嗜好に合ったコンテンツデータを取得する記録再生装置を得ることができる。なお、コンテンツ優先度情報取得手段は、コンテンツデータの録画履歴、コンテンツデータおよびダイジェストデータの再生履歴、コンテンツデータおよびダイジェストデータの削除履歴などから利用者の嗜好を認識してコンテンツ優先度情報を取得する構成などとしてもよい。
【０１０４】
さらに、上記コンテンツ優先度情報取得手段を備えた構成において、コンテンツ管理情報生成手段２８３は、コンテンツデータがＨＤＤ２６０に記憶された日時に関する録画日時情報を取得し、コンテンツデータがＨＤＤ２６０に記憶されている保存時間Ｚに関する保存時間情報を取得する。そして、コンテンツ管理手段２８５は、現在日時に関する現在日時情報を取得し、コンテンツ優先度情報取得手段にて取得されたコンテンツ優先度情報におけるコンテンツデータの優先度に基づいて、録画日時から現在日時までの経過時間を変更する。この経過時間が保存時間Ｚ以上となったことを認識すると、このコンテンツ記憶日時情報に対応するコンテンツデータを削除するコンテンツデータとして特定する、という構成などとしてもよい。このような構成によれば、利用者の嗜好をコンテンツデータの優先度として捉え、この優先度に基づいてコンテンツデータの自動削除までの経過時間を長く変更したり、短く変更したりすることができる。このため、利用者の嗜好に合致したコンテンツに対応するコンテンツデータはＨＤＤ２６０に長く保存し、利用者の嗜好に合致しないコンテンツに対応するコンテンツデータはＨＤＤ２６０から短期間で自動削除する設定とすることが可能となる。
【０１０５】
なお、コンテンツデータの自動削除処理について、上記した第２の実施の形態のようにＨＤＤ２６０のコンテンツ記憶領域の空き容量に基づいてコンテンツデータを自動削除する構成と、上記した第１の実施の形態のようにコンテンツデータを取得してからの経過時間でコンテンツデータを自動削除する構成と、上記コンテンツ優先度情報取得手段を備えた構成、例えばコンテンツデータの優先度の度合いが低いコンテンツデータをＨＤＤ２６０から自動削除する構成や、コンテンツデータの優先度に基づいて録画日時から現在日時までの経過時間を変更してコンテンツの自動削除を実施する構成などを、適宜自由な組み合わせでコンテンツデータの自動削除処理を実施する構成としてもよい。
【０１０６】
そして、コンテンツ管理手段２８５は、アクセス回数情報６１６およびアクセス時間情報６１７に基づいて、特定のコンテンツデータが自動削除処理の対象か否かを判断する構成としたが、これに限らない。すなわち、コンテンツ管理手段２８５は、アクセス回数情報６１６のみに基づいて、特定のコンテンツデータが所定回数Ｌ（Ｌは自然数とする）以上アクセスされたか否かにより自動削除処理の対象か否かを判断する構成としてもよい。また、アクセス時間情報６１７のみに基づいて、所定の時間長を閾値Ｌとして総再生時間が閾値Ｌ以上か否かにより自動削除処理の対象か否かを判断するなどしてもよい。さらには、コンテンツ管理手段２８５は、アクセス回数情報６１６、アクセス時間情報６１７、およびその他の情報に基づいて、特定のコンテンツデータが自動削除処理の対象か否かを判断する構成としてもよい。また、コンテンツ管理手段２８５は、コンテンツデータの総再生時間を再生回数で除算した値が閾値Ｌより多いか否かの処理に限らず、アクセス回数情報６１６、アクセス時間情報６１７、およびその他の情報から、所定のルールに従ってポイントを算出し、このポイントに基づいて特定のコンテンツデータが自動削除処理の対象か否かを判断する構成など、いずれの処理方法を利用してもよい。
【０１０７】
また、ＣＰＵ２８０に、ＨＤＤ２６０に記憶されたダイジェストデータに関連付けられダイジェストデータの優先度に関する部分データ優先度情報を取得する部分データ優先度情報取得手段を設ける。そして、ダイジェスト管理手段２８９は、部分データ優先度情報に基づいてＨＤＤ２６０に記憶されたダイジェストデータのうち特定のダイジェストデータを削除する構成としてもよい。すなわち、例えば、部分データ優先度情報取得手段は、ＨＤＤ２６０から削除されたコンテンツデータの削除履歴、あるいは利用者の嗜好性に対応した優先度などからダイジェストデータの優先度を認識して部分データ優先度情報を取得する。そして、部分データ優先度情報に基づいて例えば特定のジャンルのコンテンツデータは短期間のうちに削除される傾向があることを認識すると、特定のジャンルのダイジェストに対応するダイジェストデータを短期的あるいは長期的に自動削除する設定にする。このような構成の場合、利用者の嗜好に合わないコンテンツデータを削除した削除履歴に基づいてダイジェストデータを自動削除するので、ＨＤＤ２６０に保存されるダイジェストデータにも利用者の嗜好を反映することができる。なお、部分データ優先度情報取得手段は、コンテンツデータの録画履歴、コンテンツデータの再生履歴、ダイジェストデータの再生履歴およびダイジェストデータの削除履歴、コンテンツデータまたはダイジェストデータを全編視聴したか否かといった視聴状況などから利用者の嗜好を認識してコンテンツ優先度情報を取得する構成などとしてもよい。
【０１０８】
そして、上記部分データ優先度情報取得手段を備えた構成において、ダイジェスト管理情報生成手段２８７は、ダイジェスト生成手段２８６にてダイジェストデータがＨＤＤ２６０に記憶された日時に関する生成日時情報を取得し、ダイジェストデータがＨＤＤ２６０に記憶されている保存時間Ｔに関する保存時間情報を取得する。そして、ダイジェスト管理手段２８９は、現在日時に関する現在日時情報を取得し、ダイジェストデータ優先度情報取得手段にて取得したダイジェストデータ優先度情報におけるダイジェストデータの優先度に基づいて、ダイジェストデータの生成日時からの経過時間が保存時間Ｔ以上となったことを認識すると、このダイジェストデータを削除する構成としてもよい。このような構成によれば、利用者の嗜好をダイジェストデータの優先度として捉え、この優先度に基づいてダイジェストデータの自動削除までの経過時間を長く変更したり、短く変更したりすることができる。このため、例えばダイジェストのジャンルが野球中継などである場合ダイジェストデータの優先度を高く設定してＨＤＤ２６０に長期的に保存したり、またダイジェストのジャンルがドラマである場合ダイジェストデータの優先度を低く設定してＨＤＤ２６０から短期間で自動削除したりする設定とすることが可能となる。
【０１０９】
さらに、上記部分データ優先度情報取得手段を備えた構成において、この部分データ優先度情報取得手段は、ダイジェストデータの再生処理を実施する再生制御手段２８４によるダイジェストデータの再生回数などに基づいてダイジェストデータの優先度を認識して前記部分データ優先度情報を取得する。そして、ダイジェスト管理手段２８９は、部分データ優先度情報取得手段にて取得した部分データ優先度情報におけるダイジェストデータの再生回数が所定回数以下であることを認識した場合、この部分データ優先度情報に対応するダイジェストデータの経過時間を認識し、この経過時間が保存時間Ｔ以上となったことを認識すると、ＨＤＤ２６０からダイジェストデータ処理回数情報に対応するダイジェストデータを削除する構成としてもよい。このような構成によれば、ダイジェストデータの再生回数の低いダイジェストが優先的に自動削除されるので、利用者がよく視聴するダイジェストデータはＨＤＤ２６０に長期的に保存することができる。なお、ダイジェストデータの優先度はダイジェストデータの再生回数に限らず、ダイジェストデータの編集処理などの編集処理回数に基づいて部分データ優先度情報を取得する構成としてもよい。
【０１１０】
そして、コンテンツ管理情報生成手段２８３は、アクセス回数情報６１６をコンテンツデータの再生処理回数に基づいて生成する構成としたが、これに限らない。すなわち、更にコンテンツデータの編集処理手段を設けた構成として、コンテンツデータの編集処理を実施した回数をもコンテンツデータへのアクセス回数としてカウントする構成でもよい。このような構成では、利用者の嗜好をより確実に優先度として具現化することができる。
【０１１１】
なお、コンテンツデータの自動削除処理について、上記した第２の実施の形態のようにＨＤＤ２６０のダイジェスト記憶領域の空き容量に基づいてダイジェストデータを自動削除する構成と、上記した第１の実施の形態のようにダイジェストデータを生成してからの経過時間でダイジェストデータを自動削除する構成と、上記ダイジェスト優先度情報取得手段を備えた構成などとを、適宜自由な組み合わせでコンテンツデータの自動削除処理を実施する構成としてもよい。
【０１１２】
また、コンテンツデータの削除履歴およびダイジェストデータの削除履歴を、キーワードに関連するコンテンツの自動予約処理に反映する構成としてもよい。すなわち、例えば、録画予約設定手段２８１が、特定のジャンルのダイジェストに対応するダイジェストデータが所定回数以上視聴されていない場合、このダイジェストに対応するコンテンツは利用者の嗜好する番組でないと判断し、このコンテンツと類似するコンテンツは自動予約しない、などの構成としてもよい。このような構成の場合、自動予約において、より利用者の嗜好に合致した番組コンテンツを取得することができる。
【０１１３】
そして、ダイジェスト管理情報生成手段２８７は、ダイジェスト生成手段２８６にてダイジェストデータが生成されると、このダイジェストデータを自動削除処理の対象とする旨を示す「１」のフラグ情報を組み込んだ自動削除処理対象フラグ６１３を生成するとしたが、これに限らない。すなわち、例えば、ダイジェスト管理情報生成手段２８７は、ダイジェスト生成手段２８６にてダイジェストデータが生成されると、このダイジェストデータを自動削除処理の対象から外す旨を示す「０」のフラグ情報を組み込んだ自動削除処理対象フラグ６１３を生成する。そして、再生制御手段２８４は、少なくとも１回ダイジェストデータを再生すると自動削除処理対象フラグのフラグ情報を「１」に変更し、ダイジェスト基本情報７１２の生成日時をダイジェストを再生した再生日時に変更する構成などとしてもよい。このような構成の場合、ダイジェスト生成手段によりダイジェストデータが生成されてから一度も再生されていないダイジェストデータが自動削除されてしまうことを防止できる。そして、ダイジェストが再生された再生日時を基点としてダイジェストデータの期限を管理することにより、少なくとも１回は再生されたダイジェストデータについて自動削除処理を実施することができる。したがって、利用者は録画制御手段にて取得した全てのコンテンツの内容をダイジェストデータを通じて把握することができ、かつ、記録再生装置２００はダイジェストデータを良好に管理することができる。
【０１１４】
さらに、ダイジェストデータの保存時間Ｔは、コンテンツデータの保存時間Ｚよりも大幅に長く設定する構成としてもよい。ダイジェストデータのデータ容量はコンテンツデータのデータ容量よりも大幅に小さいことから、ダイジェストデータを長期間ＨＤＤ２６０に保存したとしてもＨＤＤ２６０の空き容量が不足する事態が生じ難い。このため、このような構成では、ダイジェストデータの保存時間Ｔが長く設定されているため自動削除によりダイジェストデータが視聴する前に削除されてしまう事態を回避できる。さらに、コンテンツデータに関しては比較的に保存時間Ｚが短く設定されており、比較的大きなデータ容量を有するコンテンツデータを良好に管理することができ、ＨＤＤ２６０の空き容量が不足して新たなコンテンツデータを取得できないなどの事態を回避できる。
【０１１５】
また、ダイジェスト管理情報生成手段２８７は、ダイジェストデータを少なくとも１回再生したか否かを示す旨のダイジェスト再生フラグを組み込んだダイジェスト再生フラグ情報を生成する。そして、再生制御手段２８４は、出力装置３００にてダイジェストデータを出力させる際、このダイジェスト再生フラグに基づいて、少なくとも１回は再生されたダイジェストデータの出力状態を一回も再生されていないダイジェストデータの出力状態と異なるように出力する、などの構成としてもよい。例えば、ＨＤＤ２６０に記憶されたダイジェストデータを一覧表示させる場合に、所定のダイジェストデータが未再生であることを示すアイコン表示や、色調変化、点滅表示などの表示形態を異ならせる構成などが挙げられる。このような構成の場合、利用者は、どのダイジェストデータを視聴しているか否かを一目で判断できるので、視聴するダイジェストデータを選択することが容易となる。
【０１１６】
そして、ダイジェスト管理情報生成手段２８７は、ダイジェストデータを出力装置３００にて出力させるなどのアクセス処理の回数を０に設定し、このアクセス回数を記載したアクセス回数情報を生成する。また、再生制御手段２８４は、出力装置３００にてダイジェストデータを出力させると、アクセス回数情報に１を加算する。そして、ダイジェスト管理手段２８９は、ダイジェストデータのアクセス回数情報におけるアクセス回数が所定の回数以上となっていることを認識すると、このダイジェストデータを削除する、という構成であってもよい。ダイジェストデータは削除されたコンテンツデータの概要を把握し得るデータであるので、例えば、利用者が１回も視聴していないダイジェストデータの場合には削除せず、１回以上視聴した場合には利用者が概要を把握したものとして自動的に削除させたり、複数回以上視聴している場合には、ダイジェストデータでも利用者の嗜好に対応したデータとして、自動的に削除させないように処理させたりするなどの処理が得られ、自動削除あるいは自動削除の解除が自動的にでき、使い勝手を向上できる。なお、利用者が所定の回数以上特定のダイジェストデータを視聴した場合、自動削除の対象とすることで、例えば概要の把握が必要ないとして利用者が手動で削除する手間を省くことができる。
【０１１７】
また、上記したようにダイジェスト生成手段２８６は、例えば、コンテンツデータが番組データなどのストリームデータである場合、例えばコンテンツデータの始まりから所定の時間までのコンテンツデータを複製する処理を実施することにより、ダイジェストデータを生成する。また、例えば、ダイジェスト生成手段２８６は、コンテンツデータの解像度を下げるデータ処理を実施してダイジェストデータを生成するとしたが、上述したように、これらに限らない。すなわち、例えば、ダイジェスト生成手段２８６は、コンテンツデータの解像度を下げるデータ処理を実施し、さらに解像度を下げたデータの一部を抽出することによりダイジェストデータを生成する構成でもよく、ダイジェストデータを生成する方法としては、従来のデータ圧縮処理またはデータ複製処理などいずれの構成を採用することができる。
【０１１８】
また、上記したようにダイジェスト生成手段２８６は、例えば、コンテンツデータが番組データなどのストリームデータである場合、コンテンツデータの始まりから所定の時間までのコンテンツデータを抽出してダイジェストデータを生成するという構成を例示したが、これに限らない。すなわち、コンテンツデータの全体のうち最初の１割部分を部分データとする構成や、コンテンツデータの最終５分前より最終部までを部分データとする構成などが例示できる。すなわち、部分データのコンテンツデータに対する位置および長さは任意である。また、コンテンツのジャンルによってダイジェストデータの時間を長めに設定する構成などとしてもよい。例えば、コンテンツが映画の場合には３０分のダイジェストデータを生成し、コンテンツが野球中継の場合には５分のダイジェストデータを生成するなどが例示できる。また、記録再生装置２００に文字認識処理部を設け、コンテンツ基本情報６１２の番組タイトルが現れるシーンをコンテンツデータの中から検索し、番組のタイトルが現れたシーンを抽出してダイジェストデータを生成する構成などとしてもよい。
【０１１９】
コンテンツデータを削除する時に部分データを生成する構成以外にも、記録してから所定期間が経過したコンテンツは削除予定リストに挙げこのコンテンツデータに対して所定期間以内に対応がなければ削除される構成とした場合に、削除予定のコンテンツデータに挙げられた際に部分データを生成する構成としてもよい。また、利用者が入力手段２５０からの手入力でＨＤＤ２６０に記憶されたコンテンツデータを削除する際にも、部分データを生成する構成としてもよい。
【０１２０】
さらに、部分データとしてのダイジェストデータは、１つのコンテンツデータに対して複数生成される構成としてもよい。この場合、利用者は削除されたコンテンツデータの概要を更に詳しく把握することができる。また、利用者の手入力により、コンテンツデータの中でも利用者の嗜好に合ったシーンを手動で選択してダイジェストデータを生成する構成としてもよい。
【０１２１】
また、第２の実施の形態において、ＨＤＤ２６０はコンテンツデータ記憶領域とダイジェスト記憶領域とを備えた構成としたがこれに限らず、これらの記憶領域をそれぞれ別の記憶手段として設ける構成としてもよい。
【０１２２】
その他、本発明の実施の際の具体的な構造および手順は、本発明の目的を達成できる範囲で他の構造などに適宜変更できる。
【０１２３】
〔実施の形態の作用効果〕
上述したように、上記実施の形態では、コンテンツ記録再生システム１００のＣＰＵ２８０は、録画制御手段２８２にてコンテンツデータを取得してＨＤＤ２６０に記憶させる処理をする。そして、コンテンツ管理手段２８５によりＨＤＤ２６０に記憶されたコンテンツデータのうち削除するコンテンツデータが特定されると、ダイジェスト生成手段２８６は、削除するコンテンツデータの一部を抽出してダイジェストデータを生成し、ＨＤＤ２６０に記憶させる。この後、コンテンツ削除手段２８８は、コンテンツ管理手段２８５にて特定されたコンテンツデータを削除する。このため、ＨＤＤ２６０に記憶されたコンテンツデータが削除された後も、削除されたコンテンツデータに対応するダイジェストデータがＨＤＤ２６０に記憶されているため、利用者は削除されたコンテンツデータの概要を把握でき、削除されるコンテンツデータのダイジェストデータが生成されるので、ダイジェストデータの増大も抑制され、コンテンツデータを良好に処理できる。
【図面の簡単な説明】
【０１２４】
【図１】本発明の一実施の形態に係るコンテンツ記録再生システムの概略構成を示すブロック図である。
【図２】前記実施の形態における録画予約リスト情報の概略構成を示す模式図である。
【図３】前記実施の形態におけるコンテンツ管理情報の概略構成を示す模式図である。
【図４】前記実施の形態におけるダイジェスト管理リスト情報の概略構成を示す模式図である。
【図５】前記実施の形態における記録再生装置のＣＰＵの内部構成を示すブロック図である。
【図６】前記実施の形態におけるコンテンツデータのアクセス処理の動作を示すフローチャートである。
【図７】前記実施の形態におけるコンテンツデータの自動削除処理の動作を示すフローチャートである。
【図８】前記実施の形態におけるダイジェストデータの自動削除処理の動作を示すフローチャートである。
【符号の説明】
【０１２５】
２００…情報処理装置としての記録再生装置
２６０…コンテンツ記憶領域および部分データ記憶領域が構築されるデータ記憶手段としてのＨＤＤ
２８０…演算手段としてのＣＰＵ
２８１…内容情報取得手段および要求情報生成手段としての録画予約設定手段
２８２…コンテンツ記憶制御手段としての録画制御手段
２８３…コンテンツ記憶日時取得手段、コンテンツ保存時間取得手段、コンテンツ処理回数情報取得手段およびコンテンツ優先度情報取得手段としても機能するコンテンツ管理情報生成手段
２８４…処理実施手段および出力制御手段としても機能する再生制御手段
２８５…削除コンテンツ特定手段としてのコンテンツ管理手段
２８６…部分データ生成手段としてのダイジェスト生成手段
２８７…部分データ記憶日時取得手段および部分データ保存時間取得手段としても機能するダイジェスト管理情報生成手段
２８８…コンテンツ削除手段
２８９…部分データ管理手段としてのダイジェスト管理手段
３００…出力手段としての出力装置
５１０…要求情報としての予約情報
６１２…コンテンツ記憶日時情報としての録画終了日時を備えたコンテンツ基本情報
６１４…コンテンツ保存時間情報としての保存時間情報
６１６…コンテンツ優先度情報およびコンテンツ処理回数情報としての再生回数情報
７１２…部分データ記憶日時としての生成日時を備えたダイジェスト基本情報
７１４…部分データ保存時間情報としてのダイジェスト保存時間情報
【図１】
2006163746.tif 000003
【図２】
2006163746.tif 000004
【図３】
2006163746.tif 000005
【図４】
2006163746.tif 000006
【図５】
2006163746.tif 000007
【図６】
2006163746.tif 000008
【図７】
2006163746.tif 000009
【図８】
2006163746.tif 000010